(57)【特許請求の範囲】
【請求項１】
オーバーパックコンテナを備える容器を含むパッケージであって、前記容器は容器開口部と内容積とを含み、前記パッケージは、前記オーバーパックコンテナ内に配置された折りたたみ可能なライナを含み、前記折りたたみ可能なライナは、可撓性のある材料からなり、前記内容積を囲み、かつ、圧力に基づく分配のための流体を保持するように構成され、前記オーバーパックコンテナが、前記可撓性のある材料よりも剛性のある壁材料を有する、パッケージと、
前記容器開口部の近傍において前記容器と係合するように構成された分配アセンブリであって、前記分配アセンブリは、前記オーバーパックコンテナと前記折りたたみ可能なライナとの間の間隙空間に流体連通している加圧気体導管を備え、前記加圧気体導管は、流体の圧力に基づく分配のために前記間隙空間に加圧気体を供給するように配置され、前記分配アセンブリは、
前記内容積に露出している気体抽出開口部と、
前記内容積に露出している液体抽出開口部と、
前記気体抽出開口部と気体出口との間に延びる気体抽出導管と、
前記液体抽出開口部と液体出口との間に延びる液体抽出導管と、を含み、
前記気体抽出導管は前記液体抽出導管とは別個のものである、分配アセンブリと、を備える、流体分配システム。
【請求項２】
前記気体抽出開口部が前記液体抽出開口部の上に配置される、請求項１に記載の流体分配システム。
【請求項３】
前記気体抽出導管と前記液体抽出導管とが単一式のコネクタ内に画定される、請求項１又は２に記載の流体分配システム。
【請求項４】
前記分配アセンブリが、前記内容積に延びるように配置された浸漬管を備え、前記浸漬管は前記液体抽出開口部を画定する、請求項１〜３のいずれか１項に記載の流体分配システム。
【請求項５】
前記気体抽出導管、前記液体抽出導管及び前記加圧気体導管は単一式のコネクタ内に画定される、請求項１に記載の流体分配システム。
【請求項６】
前記分配アセンブリが、前記容器開口部の近傍のライナ取り付け部と、前記ライナ取り付け部に接触するように配置された取り付け部アダプタと、を含み、前記取り付け部アダプタが、
前記浸漬管を受容するように配置された少なくとも下部部分を含み、前記液体抽出導管と流体連通している長手方向の穴と、
前記気体抽出開口部と前記液体抽出開口部との間に配置される側方気体通路と、を備える、請求項４に記載の流体分配システム。
【請求項７】
前記分配アセンブリが、前記気体抽出導管の少なくとも一部および前記液体抽出導管の少なくとも一部を画定するコネクタを備え、前記コネクタの一部は、前記分配アセンブリに挿入可能であり、前記長手方向の穴の上部部分と密閉的に係合する、請求項６に記載の流体分配システム。
【請求項８】
前記長手方向の穴の前記上部部分は、直径が前記長手方向の穴の前記下部部分と異なる、請求項７に記載の流体分配システム。
【請求項９】
前記分配アセンブリが、前記容器に係合するように配置されたクロージャを備え、前記ライナ取り付け部および前記取り付け部アダプタが前記クロージャによって保持される、請求項７に記載の流体分配システム。
【請求項１０】
前記浸漬管が前記長手方向の穴にプレスばめされる、請求項６に記載の流体分配システム。
【請求項１１】
前記長手方向の穴の少なくとも下部部分に関連する開口を画定する連結器をさらに備え、前記連結器は前記浸漬管を受容するように配置され、前記連結器の前記開口は前記浸漬管と流体連通している、請求項６に記載の流体分配システム。
【請求項１２】
前記液体出口と流体連通しているリザーバをさらに備える、請求項７〜９のいずれか１項に記載の流体分配システム。
【請求項１３】
前記リザーバが、前記コネクタと別個のものであって前記コネクタの下流側に配置されるリザーバ本体内に画定される、請求項１２に記載の流体分配システム。
【請求項１４】
前記リザーバが、液体の通過を可能にするが、気泡の通過を防ぐように構成されたろ過媒体と、前記ろ過媒体を通過する液体を受容するように配置されたリザーバ液体出口と、前記ろ過媒体を通過することを妨げられた気泡から蓄積された気体を受容するように配置されたリザーバ気体出口と、を備える、請求項１２に記載の流体分配システム。
【請求項１５】
前記パッケージの空の状態または空の状態への接近を検出するように構成された空検出装置をさらに備える、請求項１〜１４のいずれか１項に記載の流体分配システム。
【請求項１６】
前記空検出装置は、前記パッケージから分配される流体の圧力降下を検出し、対応する出力信号を発生させるように構成された圧力変換器を備える、請求項１５に記載の流体分配システム。
【請求項１７】
前記パッケージから分配される液体内の気泡の存在を示す出力信号を発生させるように作動可能な気泡センサをさらに備える、請求項１〜１４のいずれか１項に記載の流体分配システム。
【請求項１８】
前記パッケージで流体が空になったとき、または、前記パッケージで流体が空になる直前に、前記パッケージから得た流体を供給するように構成された切換リザーバをさらに備える、請求項１〜１４のいずれか１項に記載の流体分配システム。
【請求項１９】
圧力に基づく分配のための流体を収容するように配置された内容積を有する容器を含むパッケージとともに使用するように配置された装置であって、前記容器が容器開口部を含み、前記装置が、
長手方向の穴と気体抽出開口部とを画定する本体であって、前記長手方向の穴の下部部分は、前記内容積内に延びるように配置された浸漬管を受容するように配置され、かつ、液体抽出開口部を有し、前記長手方向の穴の上部部分はコネクタを受容するように配置され、前記コネクタは、気体出口と流体連通している気体抽出導管と、液体出口と流体連通している液体抽出導管と、を画定する、本体を備え、
前記気体抽出開口部は、前記内容積に露出しているとともに前記気体抽出導管と流体連通しており、前記液体抽出開口部は、前記内容積に露出しているとともに前記液体抽出導管と流体連通している、装置。
【請求項２０】
圧力に基づく分配のための流体を収容するように配置された内容積を有する容器を含むパッケージを使用する方法であって、
気体抽出導管および液体抽出導管を画定するコネクタを、（ｉ）前記内容積に露出している液体抽出開口部との流体連通を可能にするように配置された長手方向の穴と、（ｉｉ）前記内容積に露出している気体抽出開口部との流体連通を可能にするように配置された側方気体通路と、を画定する分配アセンブリ内に挿入するステップであって、前記分配アセンブリ内に前記コネクタを挿入する前記ステップは、（ａ）前記液体抽出導管と前記液体抽出開口部との間、および、（ｂ）前記気体抽出導管と前記気体抽出開口部との間の流体連通を同時に実施する、ステップと、
前記気体抽出開口部および前記気体抽出導管を通して前記内容積から気体を抽出するステップと、
前記液体抽出開口部および前記液体抽出導管を通して前記内容積から圧力を用いて液体を分配するステップと、を含む、方法。
【発明の詳細な説明】
【技術分野】
【０００１】
関連出願の相互参照
[0001]本願の対象は、２０１０年１月６日出願の米国仮特許出願第６１／２９２，８５２号の開示に関する、およびそれを含む。このような仮出願の開示はその全体が参照により本明細書に組み込まれる。
【０００２】
[0002]本発明は、使用する流体材料を分配するために使用することができるような分配システムおよび関連する検出システムに関する。特定の態様では、本発明は、例えば、空気または液体等の加圧媒体で置換することによって、液体または他の流体材料を源容器から排出する圧力分配システムに関し、またそのようなシステムの製作、検出、動作プロセスおよび配置に関する関連態様に関する。
【背景技術】
【０００３】
[0003]多くの産業用途では、化学試薬および組成物は高純度状態で供給される必要があり、パッケージの充填、貯蔵、運搬および最終的な分配動作を通じて、供給された材料を純粋で適切な形態に維持することを確実とするように専用のパッケージングが開発されている。
【０００４】
[0004]超小型電子デバイス製造の分野では、多種多様な液体および液体含有組成物のための適切なパッケージングが特に必要とされている。その理由は、パッケージ化した材料内の汚染物質および／またはパッケージに収容された材料への環境汚染物質の進入はいずれも、上記の液体または液体含有組成物で製造されている超小型電子デバイス製品に悪影響を及ぼし、超小型電子デバイス製品を欠陥品にするか、さらには所期の用途に使用できなくなることもあるためである。
【０００５】
[0005]これらの考察の結果、フォトレジスト、エッチング液、化学蒸着試薬、溶媒、ウェーハおよびツールの洗浄用製剤、化学的機械研磨組成物、色フィルタリング用化学物質、オーバーコート、液晶材料等、超小型電子デバイス製造に使用される液体および液体含有組成物のために多くのタイプの高純度パッケージングが開発されている。
【０００６】
[0006]そのように使用されるようになっている高純度パッケージングのタイプには、蓋またはカバーのような保持構造によってオーバーパック内の所定の位置に固定された可撓性のあるライナまたはバッグ内に液体または液体系組成物を収容する、剛性の、実質的に剛性の、または半剛性のオーバーパックを含む。このようなパッケージングを一般に「バッグインカン」（ＢＩＣ）、「バッグインボトル」（ＢＩＢ）および「バッグインドラム」（ＢＩＤ）パッケージングと呼ぶ。このような一般的タイプのパッケージングが、Advanced Technology Materials， Inc．（Danbury， CT， USA）からNOWPAKという商標で市販されている。
【０００７】
[0007]好ましくは、ライナは可撓性のある材料を含み、オーバーパックコンテナは、実質的に前記可撓性のある材料よりも剛性のある壁材料を含む。パッケージングの剛性または半剛性のオーバーパックは（例えば）高密度ポリエチレンまたは他のポリマーまたは金属で形成してもよく、ライナは、ライナ内に収容される材料（例えば、液体）に対して不活性であるように選択された高分子フィルム材料、例えば、ポリテトラフルオロエチレン（ＰＴＦＥ）、低密度ポリエチレン、中密度ポリエチレン、ＰＴＦＥ系積層体、ポリアミド、ポリエステル、ポリウレタン等の予め洗浄された無菌の折りたたみ可能なバッグとして提供してもよい。上記材料のいずれかを含む多層積層体を使用してもよい。ライナの例示的な構成材料には、さらに、金属化フィルム、箔、ポリマー／コポリマー、積層体、押出成形品、共押出成形品、ブローフィルムおよびキャストフィルムが含まれる。このような一般的タイプのライナ式パッケージングが、Advanced Technology Materials， Inc．からNOWPAKという商標で市販されている。
【０００８】
[0008]液体および液体系組成物を分配するためのライナ式パッケージングの使用時に、浸漬管を収容した液体に浸漬させた状態で浸漬管または短いプローブを含む分配アセンブリをライナのポートに連結することによって、液体または組成物はライナから分配される。流体（例えば、気体）圧力がライナの外部表面に（すなわちライナと周囲のオーバーパックコンテナとの間の空間に）印加され、継続的にライナを折りたたみ、それによって液体が分配アセンブリから押し出されて、関連するフロー回路に排出され、最終使用ツールまたは場所に流れる。そのような動作はライナ式圧力分配と呼ぶことができる。分配されるべき液体を収容するためにライナを使用すると、ライナに対して圧力をかけるために配置された加圧気体に直に接触することが防止される。
【０００９】
[0009]液体６８を収容した内容積を有する（囲む）ライナ６２を示す図１Ａに従来のライナ式パッケージ６０の簡略結線図が提供される。このライナ６２はオーバーパックコンテナ６１内に配置されている。間隙空間６３がライナ６２とオーバーパックコンテナ６１との間に設けられ、加圧気体源６５と流体連通している。加圧気体を間隙空間６３に加えるとライナ６２が圧縮され、液体６８が浸漬管６４を通り、コンテナを出てプロセスツールまたは他の使用箇所６６に流れる。
【００１０】
[0010]ヘッドスペース（ライナの上部にある余分な空気または気体）および微小気泡は、例えば、フラットパネルディスプレイ（ＦＰＤ）および集積回路（ＩＣ）製造施設において、ライナ式パッケージから液体を分配するプロセスにおいて重大な問題を呈する。ヘッドスペース気体は、パッケージが液体で完全には充填されていない場合の充填作業に由来する場合がある。分配作業に供される場所へとパッケージを搬送している間に液体が膨張する原因となる温度変化のようなパッケージの周囲環境の変化に対応するための拡張容積としてヘッドスペースを設けるために、パッケージを完全に充填しないことが必要とされうる。
【００１１】
[0011]パッケージ運搬時にライナ式パッケージ内にヘッドスペースを維持することが望ましいかもしれないが、そのようなヘッドスペースは流体の分配および／または使用にとって有害となるおそれがある。ヘッドスペースからの気体がライナ式圧力パッケージから分配される液体に混入し、分配される液体が使用されるプロセスまたは製品にとって有害な不均質の多相分配流体流を生成する場合がある。さらに、分配される液体にヘッドスペースからの気体が存在すると、流体流量センサ、流量制御部等の動作の誤作動またはエラーにつながるおそれがある。
【００１２】
[0012]液体組成物を収容するパッケージの使用に付随する関連の問題には、収容された液体への気体の浸透または漏入、ならびに液体中における可溶化および気泡形成がある。ライナ式パッケージの場合、ライナ外部の気体が（例えば、わずかに透過性のあるフィルム材料、ライナパネル間のシームおよび／またはライナパネル内に形成されるピンホールを通して）ライナを透過し、収容された液体内に入るおそれがある。圧力分配動作にライナ式パッケージを使用する場合、加圧用気体自体、例えば、空気または窒素がライナ材を透過し、ライナ内の液体に溶解する場合がある。その後液体を分配する際に、分配ラインならびに下流側の計器および機器における圧力低下が原因で、前に溶解していた気体が放出され、その結果、分配される液体の流れに気泡が形成され、混入したヘッドスペース気体によるものと類似の悪影響を及ぼすおそれがある。したがって、最初の分配の前にヘッドスペース気体を除去することが望ましい。また、放出された気体を液体分配の開始後にも継続的に除去することができることが望ましい。さらに、微小気泡が形成される可能性を低下させつつ気体除去を迅速に達成することが望ましい。
【００１３】
[0013]半導体製品および他の超小型電子製品の製造において、気泡が存在すると、それが微小なサイズ（微小気泡）であっても、集積回路またはフラットパネルディスプレイが欠陥品になるか、さらにはその所期の目的に使用できなくなるおそれがある。したがって、外部からの気体の全てを、そのような製品の製造に使用される液体から除去することが肝要である。
【００１４】
[0014]一般的なライナ式パッケージを使用する際、ヘッドスペース気体をライナから流出させるために、パッケージを加圧し、逃し弁を開く。ヘッドスペース気体がなくなった後、液体がヘッドスペース気体排出ラインに入ると、気体逃し弁が閉じ、別のバルブが開いて、液体排出ライン内の液体のみを分配する。パッケージが、例えば、分配される流体の圧力を監視し、時間に応じた圧力の降下を検出することによって、空検出状態の信号を送信すると、ライナを収容した容器に接合されたコネクタまたは他の結合デバイスを、空になった容器から取り外し、新しい（例えば、満杯の）容器に配置して、継続的な分配動作を提供することができる。ヘッドスペース除去ラインに液体があるため、ヘッドスペース気体が再び到着するまではタイマを使用して液体センサを迂回してもよい。その後、液体がベントラインに再入し、センサがタイマによって「再駆動」され、逃し弁を閉鎖する。しかしながら、このような装置は、以下の事象の発生を伴う故障モードになりやすい。すなわち、（ｉ）タイマが正しく設定されず、ヘッドスペースが除去されていることを示す偽信号を送信する、（ｉｉ）ヘッドスペースが１つの充填されたパッケージと別のパッケージとで異なり、１つのパッケージについて選択された設定が、別のパッケージには適さず、そのためヘッドスペース気体が正しく除去されない、（ｉｉｉ）ヘッドスペース気体ベントライン内に存在する気泡が、ヘッドスペース気体除去という偽表示を生成する、および（ｉｖ）ヘッドスペースベントラインに残っている（以前から存在する）液体が、ヘッドスペース気体除去という偽表示を生成するおそれがある。
【００１５】
[0015]また、ライナパッケージに液体および液体系組成物を貯蔵し、そこから分配する際には、分配される材料がなくなるか、空に近づいていることを検出し、下流側の動作の終了または新しい材料パッケージへの切り換えを適時実施できるように、分配動作を管理することが望ましい。したがって、分配動作の最終段階の監視、特に空状態または空に近づいている状態の検出における信頼性は、ライナパッケージの最適な使用を可能にするとともに、このようなパッケージの設計および実現に望まれる目的でもある。下流側プロセスへの分配のためのパッケージまたはリザーバの液体がなくなったことを示す空状態または空状態への接近を確実にかつ経済的に検出することは困難である場合がある。検出が完了すると、第２の液体の源に自動的に切り換え、それによってさらなる下流側の動作問題を解消することが好ましい。例えば、前記流体が圧力分配パッケージから空になったまたはほぼ空になった場合、前記圧力分配パッケージから得た流体を供給するように構成された切換リザーバを分配に利用してもよい。
【００１６】
[0016]超小型電子デバイス製品の製造のような産業プロセスにおいて液体を分配するパッケージに伴う別の問題は、多くの場合、液体が専門の化学試薬のように極めて高価なことに関する。したがって、経済的観点から、分配動作の完了後にパッケージに残る液体の残留量がほとんどないように、パッケージからの液体を可能な限り完全に使用することが必要である。このような理由から、分配動作の終点を判定することができるようにこのような動作を監視することが望ましい。当技術分野では、パッケージ内の液体残留物の量を最小限にする効率的な終点検出器を提供するために継続的な努力がなされている。
【００１７】
[0017]Advanced Technology Materials，Inc．に譲渡され、数人の発明者が本願と共通しており、本明細書中に参照により本明細書に組み込まれる、国際公開第２００７／１４６８９２号パンフレット（「‘８９２公報」）に開示されるシステムおよび方法はライナ式分配パッケージについての特定の問題に対処している。‘８９２公報には、以下の機能が開示されている。すなわち、液体分配、ヘッドスペース気体除去、圧力除去、（すなわち、検出およびバルブによる）圧力測定およびリザーバ気体／液体レベル制御を提供する高度に一体化されたコネクタ。（‘８９２公報の図２０Ａを適応させた）添付の図１Ｂでは、一体化されたリザーバ１６と、リザーバ１６内の（すなわち、液体５８上方に配置される）液体５８と気体の間の界面近傍のセンサ５５とを含むそのようなコネクタ１の少なくとも一部の断面図を提供する。センサ５５では、気体ポケットがリザーバ１６の上部部分に沿って蓄積された状態を検出し、分配動作時に、気体が定期的かつ自動的にリザーバ１６から排出されるようにする。全体が図１Ｂには示されないが、コネクタ１は、ライナ内に下方に延びるように配置された（中に中心導管６が画定される）プローブを含む。中心導管６はコンテナおよび／またはライナ（図示せず）の中心に延びる。リザーバ１６はコネクタ１の本体２４内に配置される。中心導管６は、上方への気体／液体の流れを収容する中心穴と、分配動作時に上方に流れる気体／液体が上端部１０からあふれ、リザーバ１６に排出させる開いた上端部１０とを有する。ライナの液体内容のコネクタ１への分配を促進するために、加圧気体供給ライン３を使用して加圧気体をライナとオーバーパックコンテナとの間の空間に供給する。圧力検出ライン２１と圧力センサ２２が中心導管６の圧力を検出するために配置される。その上部部分においてリザーバ１６と流体連通している気体導管１８は作動可能な気体出口バルブ３４に連通的に結合される。対応する液体出口導管１９はその下部部分においてリザーバ１６と流体連通しており、かつ作動可能な液体出口バルブ３０に連通的に結合される。
【００１８】
[0018] ‘８９２公報に開示される一体化されたリザーバシステムによってその所期の目的は達成されるが、種々の問題点が、そのようなシステムの改良または向上に対して未だ対処されていない要求があることを実証している。
【００１９】
[0019]多数の他の流体ラインおよび流体制御部品を備えた専用の材料分配筐体またはキャビネット内にライナ式圧力分配コンテナが設置される場合がある。一体化されたリザーバおよび他の構成要素があると、圧力分配コンテナの上にかなりの空間（容積）が存在することが必要となる。また、複数の電気および流体連結をその空間内に形成することが必要となる。圧力分配コンテナに直に隣接する容量要件を低減すること、また、そのようなコンテナに直に隣接して形成される必要がある電気および流体連結の数を削減することが望ましい。
【００２０】
[0020]‘８９２公報による圧力分配パッケージ内のライナが破損した場合、気体が加圧気体入口から中心導管（例えば、添付の図１Ｂに示されるような中心導管６）中を、そのような中心導管を通って流れる液体を除外するほどに流れるために、ライナに液体組成物を分配しつづけることが困難になる、または不可能となるおそれがある。ライナの保全性を妥協しなければならないとしても、ライナ式圧力分配アセンブリのコネクタを通じて液体の継続的な流れを提供することが望ましい。
【００２１】
[0021]‘８９２公報に開示されるような、リザーバ内の液体と気体間の重力分離のみに依存すると、非常に高粘度の液体および／または高い液体分配率が使用される場合に十分な分離が提供されないおそれがある。つまり、重力式リザーバ分離システムの液体粘度および流量によっては、リザーバ内の気泡の上方への動き（すなわち、その上部部分に配置された気体出口に向かって）は、リザーバ内の液体の下方への動き（すなわち、その底部部分に配置された液体出口に向かって）を克服するには速さが十分ではないため、多少の気泡がリザーバに対応する液体出口を通る液体の流れにあいにく混入するおそれがある。幅広い範囲の液体粘度および液体流量にわたって、使用箇所に分配される液体に気泡が混入しないことを確実にすることが望ましい。
【００２２】
[0022]先行技術による、浸漬管を相手（例えば、凹部を画定する）構造に接合する方法は管のひび割れにつながる場合がある。特定の接合方法には管の押広げおよび他の技術を必要とし、大きな労働力も要する。前述の問題を回避する一方で、浸漬管の相手構造への係合に対応することが望ましい。
【００２３】
[0023]非常に不透明な液体を分配する場合（例えば、表示モニタの製造において平坦なパネルのコーティングに使用される着色した色フィルタ材料および類似の流体）、液体の有無を検出するための従来のシステムおよび方法は不十分である可能性がある。その理由は、そのような液体に適用されるには、光学測定技術は効果的でなく、静電容量の測定技術は感度および／または信頼性が不十分な可能性があるためである。フラットパネルディスプレイのためのプロセスツールの製造のような、不透明な流体を所望の使用箇所に分配するために不透明な流体を検出する信頼度を向上することが望ましい。
【００２４】
[0024]源材料（液体を含む）を収容するために配置された内容積を画定する薄膜式ライナを収容するオーバーパックコンテナを含むライナ式圧力分配パッケージから流体を分配すると、ライナのひだ部内に捕捉された気体が分配時に解放され、源材料内に溶解するおそれがある。つまり、従来のライナでは、関連するオーバーパックコンテナの形状に共形でない二次元設計（例えば、周縁で互いに接合されている前部および後部パネルを含み、任意選択で、側部および／または端部パネルを含む）を取り入れている可能性があり、ライナが膨張し、充填されると、気体をそのようなライナのひだ部に捕捉することができる。圧力分配中にそのような気体を解放すると、そのような気体を源材料に溶解させることができる。源材料が気体で飽和すると、気泡を含有する源材料の分配を回避するために、源材料または（源材料を収容する）コンテナを交換しなければならない。そのような交換は、圧力分配コンテナに源材料がなくなるかなり前に必要となる可能性があるため、それによって源材料が無駄になり、圧力分配コンテナを交換している間はプロセスツールの稼働率が低下する可能性がある。試験およびシミュレーションに基づき、本出願人は、ひだ部中の気体の最大量の上限は２００リットルのライナにおいて５００ｍｌを超えるべきではないと判断した。
【００２５】
[0025]図１０は、７つの異なる２００リットルの折りたたみ可能なフィルム式コンテナライナからの流体の圧力分配中にひだ部から開放される気体をモデルとしたシミュレーションを溶解気体飽和圧力（パスカル）対時間（日）において示す（例えば、シミュレーションには、それぞれ、ひだ部中の気体０ｍｌを収容する半径０ｃｍのひだ部を有するライナ、ひだ部中の気体１７ｍｌを収容する半径１ｃｍのひだ部を有するライナ、ひだ部中の気体１３３ｍｌを収容する半径２ｃｍのひだ部を有するライナ、ひだ部中の気体４４７ｍｌを収容する半径３ｃｍのひだ部を有するライナ、ひだ部中の気体１０６１ｍｌを収容する半径４ｃｍのひだ部を有するライナ、一重Ｚ字ひだ部構造（single Z-fold configuration）のライナ、および二重Ｚ字構造(double Z-configuration)のライナを含む）。各気泡の体積は気泡が大気圧下にあると想定して計算される一方、各気泡の半径は気泡に３０ｐｓｉの分配圧力がかけられると想定して計算される。図１０に示すように、二重Ｚ字ひだ部ライナ構造は一重Ｚ字ひだ部ライナに比べてより多くの気体を捕捉する傾向にある（その結果、より高い気体飽和圧力になる）。図１０に示されるシミュレーションを基にすると、液体源材料は、約８８％の源材料の分配後に、（例えば、５００ｍｌの）ひだ部中の気体で飽和する。
【００２６】
[0026]本出願人は、ひだ部中の気体は分配工程のかなり後になるまで圧力分配ライナのひだ部から解放されないと判断した。これは、比較的高い剛性を有し、かつオーバーパックコンテナに一致が不十分なライナが、溶解した気体に影響されやすいひだ部を有することを意味する。図１１は、一重Ｚ字ひだ部構造を有する第１のライナにおける（下の曲線）、および二重Ｚ字ひだ部構造を有する第２のライナにおける（上の曲線）、時間に対するひだ部中の気体の解放を示す。そのような図は、一重Ｚ字ひだ部構造を有するライナよりも二重Ｚ字ひだ部構造を有するライナ内により多くの量のひだ部中の気体が捕捉されることを示す。図１１は、分配工程の最後の２５パーセント中にかなりの量のひだ部中の気体がライナ内に残っていることを示す。この問題は、（大部分の液体源材料がライナからなくなるとき）分配工程の終了近くにライナ内に残った源材料に対して気体の割合が高いことでも悪化する。
【００２７】
[0027]ひだ部中の気体の存在に関連するしないに関わらず、ライナ内に何らかのピンホールまたはより大きい開口部（すなわち、裂け目）があると、加圧気体をライナおよび気体ヘッドスペース内に進入させる傾向があり、それによって源材料の気体飽和が急速に達成される（望ましくない）。
【００２８】
[0028]源材料の圧力分配において、ひだ部中の気体の作用および破損したライナの作用を管理することが望ましい。源材料の廃棄を削減し、源材料コンテナの補充までの時間を延ばすために、分配される源材料の割合を（例えば、気体飽和状態に達する前に非常に高い割合（例えば、＞９８％または＞９９％）の源材料の分配を可能にする）気体飽和レベルに達することなく増加させることが望ましい。
【００２９】
[0029]したがって、当技術分野では、分配パッケージ、分配システム、分配方法および関連する検出装置における改良を模索し続けている。
【発明の概要】
【発明が解決しようとする課題】
【００３０】
[0030]本発明は、従来のシステムに存在する種々の課題を克服する流体分配システムおよび方法に関する。
【課題を解決するための手段】
【００３１】
[0031]一態様において、本発明は、圧力を分配するための流体を収容するために配置された内容積を有する容器を含む圧力分配パッケージであって、容器が容器開口部を含む、圧力分配パッケージと、容器開口部の近傍において容器と結合するように構成された分配アセンブリとを含む、流体分配システムに関する。分配アセンブリは、内容積に露出している気体抽出開口部と、内容積に露出している液体抽出開口部と、気体抽出開口部と気体出口との間に延びる気体抽出導管と、液体抽出開口部と液体出口との間に延びる液体抽出導管と、を含み、気体抽出導管は液体抽出導管とは別個のものである。
【００３２】
[0032]別の態様において、本発明は、前記源材料を収容するために配置された内容積を画定するライナを収容するオーバーパックコンテナを含むライナ式圧力分配パッケージから、液体を含む源材料を分配するために配置されたコネクタに関する。コネクタは、内容積から気体を抽出するために配置された気体抽出導管と、内容積から液体を抽出するために配置された液体抽出導管と、ライナとオーバーパックコンテナとの間の間隙空間に気体を供給するために配置された加圧気体導管と、を含む。
【００３３】
[0033]さらなる態様において、本発明は、圧力を分配するための流体を収容するために配置された内容積を有する容器を含む圧力分配パッケージにおいて使用するために配置された構造に関し、容器は容器開口部を含み、構造は、長手方向の穴と気体抽出開口部とを画定する本体であって、長手方向の穴の下部部分は、内容積内に延びるように配置された浸漬管を受容するために配置され、かつ液体抽出開口部を有し、長手方向の穴の上部部分はコネクタを受容するために配置され、コネクタは、気体出口と流体連通している気体抽出導管を画定するとともに、液体出口と流体連通している液体抽出導管を画定し、気体抽出開口部が内容積に露出しているとともに、気体抽出導管と流体連通しており、液体抽出開口部が内容積に露出しているとともに、液体抽出導管と流体連通している、本体を含む。
【００３４】
[0034]本発明のさらなる態様は、圧力を分配するための流体を収容するために配置された内容積を有する容器を含む圧力分配パッケージを利用する方法に関し、方法は、気体抽出導管および液体抽出導管を画定するコネクタを、（ｉ）内容積に露出している液体抽出開口部との流体連通を可能にするために配置された長手方向の穴と、（ｉｉ）内容積に露出している気体抽出開口部との流体連通を可能にするために配置された側方穴とを画定する分配アセンブリ内に挿入するステップであって、分配アセンブリ内にコネクタを挿入する前記ステップは、同時に（ａ）液体抽出導管と液体抽出開口部との間、および（ｂ）気体抽出導管と気体抽出開口部との間の流体連通に作用する、ステップと、気体抽出開口部および気体抽出導管を通じて内容積から気体を抽出するステップと、液体を液体抽出開口部および液体抽出導管を通じて内容積から圧力分配するステップと、を含む。
【００３５】
[0035]本発明のまたさらなる態様は、液体流から気体を除去するように構成された気体除去装置に関し、装置は、液体の通過を可能にするが、気泡の通過を防ぐように構成されたろ過媒体を中に含む内容積を画定するリザーバ本体であって、リザーバ本体は、流体入口を有し、ろ過媒体を通過する液体を受容するために配置された液体出口を有し、ろ過媒体を通過することを妨げられた気泡から蓄積された気体を受容するために配置された気体出口を有する、リザーバ本体と、内容積とセンサ連通しており、内容積内の圧力を示す出力信号を発生させるために配置された圧力変換器とを含む。
【００３６】
[0036]さらに別の態様は、（ａ）圧力分配パッケージのオーバーパックコンテナ内に配置される折りたたみ可能なライナの内容積内から気体を排出するステップであって、ライナはさらに液体を収容し、気体は気体抽出導管を通じて排出され、気体出口が分配アセンブリ内に画定される、ステップと、（ｂ）ライナを圧縮するためにライナとオーバーパックコンテナとの間の間隙空間に加圧気体を供給し、それによって液体抽出導管と分配アセンブリ内に画定される液体出口を通じて内容積から液体を分配するステップであって、液体抽出導管は気体抽出導管とは異なる、ステップと、（ｃ）液体出口が受け取った液体を分配アセンブリの下流側に配置されたリザーバ本体を通して流すステップであって、リザーバ本体は、液体の通過を可能にするが、気泡の通過を防ぐように構成されたろ過媒体を中に含む内容積を画定し、リザーバ本体は、ろ過媒体を通過する液体を受容するために配置されたリザーバ液体出口を有するとともに、ろ過媒体を通過することを妨げられた気泡から蓄積された気体を受容するために配置されたリザーバ気体出口を有する、ステップと、（ｄ）リザーバ気体出口から気体を排出するステップと、を含む方法に関する。
【００３７】
[0037]別の態様は、流体の存在または流体回路内の流動流体の相変化を検出するように構成された装置に関し、装置は、流体回路内の第１の位置において流体とセンサ連通している第１のサーミスタであって、第１のサーミスタの検出部が気体に曝露すると、第１のサーミスタが自己加熱を起こすのに十分な第１の電流レベルで駆動されるように配置された第１のサーミスタと、流体回路内の第２の位置において流体とセンサで連通した第２のサーミスタであって、第１の電流レベルよりも実質的に低い第２の電流レベルで駆動されるように配置された、第２のサーミスタと、第１のサーミスタの第１の出力信号および第２のサーミスタの第２の出力信号を受信するために、ならびに第１の出力信号と第２の出力信号との比較を基に流体回路内における流体の存在または流動流体の相変化を判定するために配置された信号処理要素と、を含む。
【００３８】
[0038]さらに別の態様は、流体回路内の第１の位置において流体とセンサ連通している第１のサーミスタを利用して、および流体回路内の第２の位置において流体とセンサ連通している第２のサーミスタを利用して、流体の存在または流体回路内の流動流体の相変化を検出するための方法に関する。方法は、第１のサーミスタの検出部が気体に曝露すると、第１のサーミスタを第１のサーミスタが自己加熱を起こすのに十分な第１の電流レベルで駆動するステップと、第２のサーミスタを第１の電流レベルよりも実質的に低い第２の電流レベルで駆動するステップと、第１のサーミスタの第１の出力信号と第２のサーミスタの第２の出力信号とを比較し、そのような比較に基づき流体回路内における流体の存在または流動流体の相変化を判定するステップと、を含む。
【００３９】
[0039]さらに別の態様は、流体の存在または流体回路内の流動流体の相変化を検出するように構成された装置に関し、装置は、流体回路内の第１の位置において流体に熱を放散するために配置された発熱体と、第１の発熱体と流体とにセンサ連通して配置され、第１の発熱体の温度と相関する第１の検出素子の出力信号を発生させるように構成された第１の検出素子と、流体回路内の第２の位置において流体とセンサ連通して配置され、第２の位置にある流体の温度と相関する第２の検出素子の出力信号を発生させるように構成された第２の検出素子と、第１の検出素子の出力信号および第２の検出素子の出力信号を受信するために、および第１の検出素子の出力信号と第２の検出素子の出力信号との比較を基に流体回路内における流体の存在または流動流体の相変化を判定するために配置された信号処理要素と、を含む。
【００４０】
[0040]別の態様は、使用箇所に流体を分配するために配置された流体分配システムに関し、流体分配システムは、圧力媒介式分配のための流体を収容するために配置された第１の内容積を有する第１の容器を含む第１の圧力分配装置と、圧力媒介式分配のための流体を収容するように配置された第２の内容積を有する第２の容器を含む第２の圧力分配装置と、第１の内容積または第２の内容積の少なくとも１つから流体を受容するために配置された少なくとも１つの排出可能なリザーバと、第１の圧力分配装置から所望の量の流体の分配と相関する、または第１の圧力分配装置によって分配される流体の気体飽和への接近と相関する出力信号を発生させるために配置された少なくとも１つの検出素子と、出力信号または出力信号から得られる信号に応答して、第２の圧力分配装置から分配される流体を第１の圧力分配装置から分配される流体と組み合わせるための第２の圧力分配装置から流体を分配するために配置された少なくとも１つの制御要素と、第１の圧力分配装置から分配される流体を受けるために、第２の圧力分配装置から流体を受けるために、ならびに前記流体を使用箇所に運搬するために配置された分配導管とを含む。
【００４１】
[0041]さらに別の態様は、流体を分配する方法に関し、方法は、第１の内容積を画定する第１の容器を備える第１の圧力分配装置から流体を分配するステップと、第１の圧力分配装置から分配される流体から気体を除去するステップと、第１の圧力分配装置からの所望の量の流体の分配と相関する、または第１の圧力分配装置によって分配される流体の気体飽和への接近と相関する状態を検出し、出力信号を発生させるステップと、出力信号または出力信号から得られる信号に応答して、内容積を画定する第２の容器を含む第２の圧力分配装置から流体を分配するステップと、第２の圧力分配装置から分配される流体から気体を除去するステップと、組み合わせ流を使用箇所に分配するために、第２の圧力分配装置から分配される流体の流れを第１の圧力分配装置から分配される流体の流れと組み合わせるステップと、を含む。
【００４２】
[0042]別の態様では、前述の態様の任意の１つ以上の特徴および／または本明細書中に開示される任意の他の態様および特徴をさらなる利点のために組み合わせてもよい。
【００４３】
[0043]本発明の他の態様、特徴および実施形態は以下の開示および添付の特許請求の範囲からより完全に明らかになろう。
【図面の簡単な説明】
【００４４】
【図１Ａ】米国特許第７，１７２，０９６号に開示されるような従来技術におけるライナ式圧力分配パッケージの簡略化した概略側部断面図である。
【図１Ｂ】国際公開第２００７／１４６８９２号パンフレットに開示されるような従来技術における、ライナ式圧力分配パッケージのリザーバを含むコネクタの少なくとも一部の断面図である。
【図２】本発明の一実施形態による、圧力分配パッケージのコネクタの簡略化した概略断面図である。コネクタは、気体抽出導管と、気体抽出導管から独立した液体抽出導管とを含む。
【図３】本発明の一実施形態による、分配パッケージまたは分配アセンブリの下流側に位置するために配置され、液体の通過を可能にするが、気泡の通過を防ぐように構成されたろ過媒体を中に含み、圧力変換器が内容積とセンサ連通しているリザーバ本体の概略断面図である。
【図４Ａ】本発明の一実施形態による、圧力分配パッケージにおける使用に適応させたコネクタ、ライナ取り付け部アダプタおよび浸漬管の側部断面図である。
【図４Ｂ】本発明の一実施形態による、図４Ａのコネクタ、ライナ取り付け部アダプタおよび浸漬管の側部断面図ならびに下流側の検出構成要素およびフロー制御構成要素の簡略化した概略図を含む。
【図５Ａ】本発明の一実施形態による圧力分配パッケージにおける使用に適応させたライナ取り付け部アダプタの側部立面図である。
【図５Ｂ】図５Ａのライナ取り付け部アダプタの斜視組立図である。
【図５Ｃ】図５Ａ〜５Ｂのライナ取り付け部アダプタの断面図である。
【図６Ａ】本発明の一実施形態による、圧力分配パッケージにおける使用のために配置されたコネクタ、クロージャ、ライナ取り付け部およびライナ取り付け部アダプタの側部断面図である。
【図６Ｂ】図６Ａに示されるライナ取り付け部アダプタにおける使用に適した浸漬管の側部立面図である。
【図７Ａ】本発明の一実施形態による、圧力分配パッケージにおける使用のために配置されたコネクタ、クロージャ、ライナ取り付け部およびライナ取り付け部アダプタの側部断面図である。
【図７Ｂ】図７Ａに示されるライナ取り付け部アダプタにおける使用に適した浸漬管の側部立面図である。
【図８】複数の温度検出素子と、温度検出素子の出力の比較を基に流体の存在または流動流体の相変化を判定するように配置された信号処理要素とを含む流体分配システムの種々の構成要素間の相互接続を示す結線図である。
【図９】流体回路内の流体と熱連通して配置可能な第１のサーミスタおよび第２のサーミスタの使用を含む、流体回路内の流体の存在または流動流体の相変化を検出するための装置の電気素子をモデルとした回路図である。
【図１０】７つの異なる２００リットルの折りたたみ可能なフィルム式コンテナライナからの流体の圧力分配中、ひだ部から解放される気体をモデルとしたシミュレーションを溶解気体飽和圧力（パスカル）対時間（日）において具現化した線図である。
【図１１】一重Ｚ字ひだ部構造を有する第１のフィルム式コンテナライナの、および二重Ｚ字ひだ部構造を有する第２のフィルム式コンテナライナの流体の圧力を分配するための、時間（分）に応じたひだ部中の気体（ミリリットル）の解放を示す線図である。
【図１２】（Ａ）ゼロヘッドスペースを有する２００リットルの折りたたみ可能なフィルム式コンテナライナ、（Ｂ）平均的なヘッドスペースを有する２００リットルの折りたたみ可能なフィルム式コンテナライナ、および（Ｃ）約３．７日における遷移まで平均的なヘッドスペースを有する第１の２００リットル折りたたみ可能なフィルム式コンテナライナからの流体の圧力分配中にひだ部から解放される気体をモデルとしたシミュレーションを溶解気体飽和圧力（パスカル）対時間（日）において具現化した線図である。第１のライナによって分配される流体は第２の２００リットルのライナによって分配される流体とその後混合される。
【図１３】分配された流体圧力を監視するためにそれぞれ配置された関連する圧力変換器を有するとともに、排出可能なリザーバを有する第１の流体分配装置および第２の流体分配装置を含み、共通の出口が第１の圧力分配装置と第２の圧力分配装置からの流体の組み合わせ流を受ける、流体分配システムの種々の構成要素間の相互接続を示す概略図である。
【図１４】合計コンテナ／流体重量を検出するためにそれぞれ配置された関連するスケールを有するとともに、排出可能なリザーバを有する第１の流体分配装置および第２の流体分配装置を含み、共通の出口が第１の圧力分配装置と第２の圧力分配装置からの流体の組み合わせ流を受ける、流体分配システムの種々の構成要素間の相互接続を示す概略図である。
【図１５】分配される流体の流れを監視するためにそれぞれ配置された関連するフローメータおよび／または流量制御部を有するとともに、排出可能なリザーバを有する第１の流体分配装置および第２の流体分配装置を含み、共通の出口が第１の圧力分配装置と第２の圧力分配装置から流体の組み合わせ流を受ける、流体分配システムの種々の構成要素間の相互接続を示す概略図である。
【発明を実施するための形態】
【００４５】
[0065]本発明は、特定の態様における、圧力分配の対象となる液体および液体を含む源材料から気泡および混入した気体を除去するための能力を含む改良型の分配システムに関する。特定の態様において、本発明は、例えば超小型電子デバイス製品の製造に使用される高純度液体試薬および化学的機械研磨用組成物のような化学試薬および組成物の貯蔵および分配のためのライナ式液体収容システムに関する。
【００４６】
[0066]剛性または半剛性の外部容器内にライナが取り付けられている、流体材料の貯蔵および分配用のライナ式パッケージの使用では、気体によって加えられた圧力によって強制的に、継続的にライナを圧縮させるために、ライナ内の流体材料が結果として強制的にライナから流れ出るように、分配動作には、ライナの外部において圧力分配気体を容器に流入させることを要してもよい。このように分配された流体材料は、配管、マニホールディング、コネクタ、バルブ等を介して、流体を利用するプロセスツールなどの使用箇所に流れてもよい。
【００４７】
[0067]そのようなライナ式液体収容システムは多種多様な性質の化学試薬および組成物の貯蔵および分配に用いることができる。本発明を、以降では主に超小型電子デバイス製品の製造に使用する液体または液体含有組成物の貯蔵および分配に関して説明するが、本発明の有用性はこれに限定されるものではなく、本発明は、多種多様な他の用途および収容される材料に拡張され、これを包含することを理解されたい。
【００４８】
[0068]本発明を、以降では種々のライナ式パッケージおよびコンテナを含む特定の実施形態に関して説明するが、例えば、圧力分配構成または本発明の他の特徴を指向するような、種々のこのような実施形態を、ライナのないパッケージおよびコンテナシステムで実践できることを理解されたい。
【００４９】
[0069]本明細書で使用する「超小型電子デバイス」という用語は、レジストをコーティングした半導体基板、フラットパネルディスプレイ、薄膜記録ヘッド、微小電気機械システム（ＭＥＭＳ）および他の先進の超小型電子構成要素を意味する。超小型電子デバイスは、パターン付きおよび／またはブランケット付きシリコンウェーハ、フラットパネルディスプレイの基板またはポリマー基板を含むことができる。さらに、超小型電子デバイスは、メソ細孔またはミクロ細孔質の無機固体を含むことができる。
【００５０】
[0070]液体および液体含有組成物（以降では液体媒体と呼ぶ）のライナパッケージングでは、ライナ内の液体媒体のヘッドスペースを最小限にすることが望ましい。ヘッドスペースはライナ内において液体媒体の上にある気体の体積である。
【００５１】
[0071]本発明のライナ式液体媒体収容システムは、超小型電子デバイス製品の製造に使用される液体媒体に適用するのに特に有用である。また、このようなシステムは、液体媒体または液体材料がパッケージングを必要とする医療および製薬製品、建築および建設材料、食料および飲料製品、化石燃料および石油、農薬等を含む他の多数の用途においても有用である。
【００５２】
[0072]本明細書で使用する場合、ライナ内の流体に関する「ゼロヘッドスペース」という用語は、ライナが液体媒体で完全に充填され、ライナ内において液体媒体の上に存在する気体の体積がないことを意味する。
【００５３】
[0073]同様に、本明細書でライナ内の流体に関して使用する「ほぼゼロヘッドスペース」という用語は、ライナ内の液体媒体の上にある非常に少量の気体を除き、ライナが液体媒体でほぼ完全に充填されていることを意味し、例えば、気体の体積はライナ内の流体の総体積の５％未満、好ましくは流体の総体積の３％未満、さらに好ましくは、流体の総体積の２％未満、最も好ましくは、流体の総体積の１％未満である（または、言い換えると、ライナ内の液体の体積が、ライナの総容積の９５％を超える、好ましくはそのような総容積の９７％を超える、さらに好ましくは、そのような総容積の９８％を超える、さらに好ましくは、そのような総容積の９９％を超える、最も好ましくは、そのような総容積の９９．９％を超える）。
【００５４】
[0074]ヘッドスペースの体積が大きいほど、上を覆う気体が液体媒体に混入するおよび／または溶解する可能性が高くなる。その理由は、液体媒体が、ライナ内で揺動し、跳ね、平行移動するとともに、パッケージの運搬時に剛性のある周囲コンテナにライナが衝突するためである。この状況が、さらには、液体媒体中における気泡（例えば、微小気泡）および微粒子の形成につながり、これが液体媒体を劣化させ、その所期の目的に不適切なものにするおそれがある。この理由のため、ヘッドスペースは最小化されることが望ましく、使用箇所においてライナの内容積を液体媒体で完全に充填することによってなくなる（すなわちゼロまたはほぼゼロヘッドスペース構造である）ことが好ましい。パッケージは、輸送時に（温度変化の結果である）収容した材料の膨張に対応するために、多少ヘッドスペースに気体がある状態で輸送しなければならない。したがって、本発明による望ましいシステムは、パッケージを分配流回路を介してツールに結合した後、ほぼ大気状態のヘッドスペース気体を除去するように配置される。大気状態では、気体を、化学試薬から解放し、液体をツールに分配する前にシステムから容易にパージすることができる。
【００５５】
[0075]パッケージは、パッケージから材料を分配するためにライナと連通している分配ポートを含む。さらに、分配ポートは適切な分配アセンブリに結合する。分配アセンブリは、例えば、ライナ内の材料と接触し、容器から分配される材料が通る浸漬管を有するプローブまたはコネクタを含むアセンブリの、種々の形態のいずれかをとることができる。パッケージは、大規模なパッケージとすることができ、ライナは材料１〜２０００リットル以上の範囲の容量を有する。
【００５６】
[0076]圧力分配モードでは、ライナ式パッケージは、ポンプ、コンプレッサ、圧縮気体タンク等のような加圧気体源に結合することができる。
【００５７】
[0077]一実施形態における分配アセンブリは、フロー回路、例えば、パッケージのライナ内に供給された化学試薬を使用する超小型電子デバイス製造施設のフロー回路に結合するように適合される。半導体製造試薬はフォトレジストまたは他の高純度化学試薬または専門試薬であってもよい。
【００５８】
[0078]一実施形態において、ライナは管状原材料から形成してもよい。例えば、ブローチューブの高分子フィルム材料の管状構造を使用することによって、ライナの側部に沿ったヒートシールおよび溶接シームを避けられる。側部の溶接シームがないと、その周囲において重畳され、ヒートシールされる平坦なパネルで形成されたライナと比べると、ライナに応力をかける傾向がある力および圧力にさらに耐えるのに有利となりうる。
【００５９】
[0079]ライナは、好ましくは、使い捨ての薄膜ライナであり、これにより、使用が済むたびに（例えば、コンテナ内に収容される液体がなくなると）取り外され、予め洗浄された新しいライナと交換され、コンテナ全体の再使用を可能にすることができる。そのようなライナは、例えば、ライナ内に収容された液体に浸入するか、分解することによって、ライナ内においてより高い拡散率を有するとともに、表面に移動して溶解するか、他の手法でライナ内の液体の汚染物質になる分解生成物を生じることによって、汚染物質の源であるか、源となるおそれのある可塑剤、酸化防止剤、紫外線安定剤、充填剤等の成分がないことが好ましい。
【００６０】
[0080]好ましくは、ライナには、未使用（添加剤がない）ポリエチレンフィルム、未使用ポリテトラフルオロエチレン（ＰＴＦＥ）フィルム、または他の適切な未使用高分子材料、例えば、ポリビニルアルコール、ポリプロピレン、ポリウレタン、ポリ塩化ビニリデン、ポリ塩化ビニル、ポリアセタール、ポリスチレン、ポリアクリロニトリル、ポリブチレン等の実質的に純粋なフィルムを使用することが好ましい。より一般には、ライナは金属被膜および箔あり、またはなしの状態で、積層体、共押出成形品、オーバーモールド押出成型品、複合材、コポリマーおよび材料混合物で形成してもよい。
【００６１】
[0081]ライナ材料の厚さは、例えば、約１ミル（０．００１インチ）〜約１２０ミル（０．１２０インチ）の範囲等、任意の適切な厚さとすることができる。一実施形態では、ライナは２０ミル（０．０２０インチ）の厚さを有する。
【００６２】
[0082]ライナは、その縁端に沿って密閉（例えば、溶接）されてもよい１つ以上のフィルムまたは他の材料の使用により任意の適切な手法で形成することができる。一実施形態では、複数の平坦なシートが重畳（積層）され、その縁端に沿って密閉されることによりライナを形成する。１つ以上のシートには、そのフェースの上部部分沿いにポートまたはキャップ構造を含んでもよい。別の実施形態では、容器の上端部に一体型の充填開口部を形成するのにライナの管状ブロー成形が使用される。一体型の充填開口部はポートまたはキャップ構造と接合されてもよい。したがって、ライナは流体の個々の導入または排出を伴う充填または分配動作のために、ライナを適切なコネクタに結合するための開口部を有してもよい。そのような開口部は「取り付け部」と呼ばれる構造で補強されてもよい。一般に、取り付け部は、薄膜が接合される、側方に延びるフランジ部と、フランジ部に実質的に垂直な方向に延びる管状部とを含む。ライナ取り付け部は、コンテナポート、コンテナキャップまたはクロージャもしくは他の適切な構造に係合してもよい、またはそうでなければそれに接触してもよい。キャップまたはクロージャは、また、流体の導入または分配のための浸漬管と結合するように配置されてもよい。
【００６３】
[0083]一実施形態では、剛性のある、または実質的に剛性のある折りたたみ可能なライナが使用される。本明細書では、「剛性のある」または「実質的に剛性のある」という用語は、任意の標準的な辞書上の定義に加えて、また、第１の圧力環境にある際、その形状および／または容積を実質的に保持するための物体または材料の特徴を含むが、形状および／または容積は、圧力環境の増加または減少において変化してもよいことを意味する。物体または材料の形状および／または容積を変えるために必要な圧力増加または減少の量は材料または物体に要求される用途に依存してもよく、かつ用途ごとに異なってもよい。一実施形態では、剛性のある、または実質的に剛性のある折りたたみ可能なライナの少なくとも一部には剛性があり、ライナの少なくとも一部は、圧力分配状態下において、加圧流体をそのようなライナの少なくとも一部に、またはそれに対して加えることによって折りたたまれる。一実施形態では、剛性のある、または実質的に剛性のある折りたたみ可能なライナは、液体が充填された場合にライナが自己支持されるのに十分な厚さおよび組成を有する材料で作成されてもよい。剛性のある、または実質的に剛性のある折りたたみ可能なライナは単一壁または複数壁の特徴のものであってもよく、好ましくは、高分子材料からなる。高分子材料および／または他の材料の複数の層の積層複合材（例えば、熱および／または圧力の印加によって積層される）を使用してもよい。剛性のある、または実質的に剛性のある折りたたみ可能なライナは、任意の１つ以上の適切な積層、押出し、成形、形削りおよび溶接工程によって形成してもよい。剛性のある、または実質的に剛性のある折りたたみ可能なライナは、好ましくは、ライナと一体的に形成される実質的に剛性のある開口部またはポートを有するため、別個の取り付け部を溶接または他の封止法によってライナに取り付ける必要がなくなる。本明細書中に開示されるような分配アセンブリおよび分配装置では、剛性のある、または実質的に剛性のある折りたたみ可能なライナを使用してもよい。
【００６４】
[0084]ライナは、その上部部分に２つのポートまたは取り付け部を含んでもよいが、本発明の広義の実施においては、１つのポートのライナ、または代替として、２つを超えるポートを有するライナを有用に用いることができる。折りたたみ可能なライナが実質的に剛性のあるハウジングまたはオーバーパック内に配置されてもよく、これは、積み重ね性（stackabilty）を促進するために略矩形の平行六面体形状のものとすることができ、コンテナの使用時に、コンテナを手動で把持し、物理的に持ち上げるか、そうでなければ搬送することを可能にする手動取り扱い式の開口部を備える。代替的に、オーバーパックは円筒形状もしくは任意の他の適切な形状または構造のものとすることができる。概して剛性のあるハウジングは、ライナを収容する内部空間の境界を定めるためにハウジングの壁に漏れのない状態で接合されるオーバーパック蓋も含んでよい。ライナとオーバーパックコンテナとの間に設けられる間隙空間は、間隙空間に対する加圧気体の添加によってライナが圧縮され、液体がライナから排出されるように、加圧気体源に流体連通してもよい。
【００６５】
[0085]本明細書中に開示されるような圧力分配パッケージは超小型電子製品製造施設のプロセスツールに結合してもよい。このようなツールは、例えば、フォトレジストをウェーハに塗布するためのスピンコータを含んでもよく、分配される液体は、適切なフォトレジスト材料を含む。代替的に、ツールは、圧力分配コンテナから分配される特定の化学試薬を使用するように適合された任意の適切なタイプのものとすることができる。したがって、液体化学試薬は、超小型電子製品製造施設における使用のために、１つ以上のライナ式パッケージから分配され、例えば、フラットパネルディスプレイまたは集積回路を組み込んだ半導体ウェーハ等の超小型電子製品を生産することができる。
【００６６】
[0086]ライナは、可撓性があり、かつ折り畳める性質になるような適切な厚さのフィルム材料で形成すると有利である。一実施形態では、ライナは、内容積を、定格充填容積、すなわちハウジング１４内に完全に充填した場合にライナ内に収容することができる液体の体積の約１０％以下まで低減できるように圧縮可能である。種々の実施形態において、ライナの内容積は定格充填容積の約０．２５％以下まで、例えば、４０００ミリリットルのパッケージでは１０ミリリットル未満、または約０．０５％以下（１９Ｌのパッケージでは残り１０ｍＬ以下）、または０．００５％以下（２００Ｌのパッケージでは残り１０ｍＬ以下）まで圧縮可能にしてもよい。好ましいライナ材料は、交換ユニットとして輸送中にライナを折り畳む、または圧縮することができるように十分に柔軟である。好ましくは、ライナは、液体をライナ内に収容した場合に、粒子および微小気泡の形成を妨げる組成物および性質であること、つまり、温度および圧力の変化により液体が膨張および収縮可能になるほど十分に可撓性があり、例えば、半導体製造または他の高純度が重要となる液体供給用途等、液体が用いられる特定の最終使用用途のために純度を維持するのに効果的である。
【００６７】
[0087]半導体製造用途では、本明細書中に開示されるような圧力分配コンテナのライナ内に収容される液体は、ライナの充填箇所において、０．２０ミクロン以上の直径を有する粒子を、１ミリリットル当たり７５個未満（より好ましくは１ミリリットル当たり５０個未満、さらにより好ましくは３５個未満、より好ましくは２０個未満）を有しているべきである。また、ライナは液体中の全有機炭素量（ＴＯＣ）が３０ｐｐｂ未満（より好ましくは１５ｐｐｂ未満）でなければならず、フッ化水素、過酸化水素および水酸化アンモニウムをライナ内に収容するために、カルシウム、コバルト、銅、クロム、鉄、モリブデン、マンガン、ナトリウム、ニッケルおよびタングステン等の重要元素ごとの金属抽出可能レベルが１０ｐｐｔ未満、元素ごとの鉄および銅抽出可能レベルが１５０ｐｐｔ未満であり、これは、Semiconductor Industry Associationの「International Technology Roadmap for Semiconductors(SIA，ITRS)1999 Edition」で規定された仕様に一致する。
【００６８】
[0088]本発明の一態様は、コンテナがゼロまたはほぼゼロのヘッドスペースを有するように、コンテナからヘッドスペースを除去することを企図する。分配動作を実行することを可能にするために、コンテナとの結合に適切なタイプのコネクタを用いる。コネクタに結合されたフロー回路は、例えば、電磁弁、または高純度液体マニホールドバルブ等の任意の適切なタイプ、ならびに、例えば、電流−圧力制御型等の圧力調整器であってもよい。
【００６９】
[0089]前述のシステムでは、ヘッドスペース気体を、「オンライン」（分配フロー回路内で使用中）のリザーバに分配し、下流側のプロセスツール、または他の使用箇所に分配することを可能にする。ヘッドスペース気体をドレンに空けるか、そのような気体で他の処置を実施することもできる。ヘッドスペース気体を除去できるように、複数のコンテナのそれぞれに、システムとは別個の専用リザーバを配置することができる。
【００７０】
[0090]上述のシステムを既存の機器に結合して、下流側のツールもしくは他の分配材料使用装置またはプロセスによって分配される化学物質の完全制御を実現することができる。システムは、分配された材料をリザーバの入口バルブに供給するように配置し、下流側のプロセス機器により材料が要求された場合に、準備完了の状態にすることができる。これによって、化学利用率が最大になる一方で、切換周期が最小になる。
【００７１】
[0091]ヘッドスペース除去には、管またはリザーバ内の液体媒体を検出するセンサを利用することができる。上述したシステムの構成要素は、既存の設備および施設の要件に基づき、独立型または後付けのシステムに使用することができる。
【００７２】
[0092]図２を参照すると、一実施形態において、圧力分配装置に使用するコネクタ１００は、互いに独立しており、互いに別個のものである気体抽出導管１３５と液体抽出導管１２５とを含む。コネクタ１００は、気体出口ポート１３８と液体出口ポート１２８それぞれを通る流れを調整するための気体逃し弁１３９と液体分配バルブ１２９が固定された上部本体構造１０１を含む。上部本体構造１０１は、液体抽出導管１２５にセンサ連通している圧力変換器１１９を含む。１つ以上の追加のセンサ１５５もまた気体抽出導管１３５と液体抽出導管１２５のいずれかまたは両方とセンサ連通している上部本体構造１０１に関連してもよい。センサ１５５として用いられてもよいセンサのタイプの例には、レベルセンサ、容量式センサ、光センサ、化学特定の存在および／または濃度センサ、圧力センサ、粒子計数器、温度検出素子および流量計測要素を含み、それらは１つ以上の信号処理要素に作動的に連結されてもよい。上部本体構造１０１の下に配置されるのは、中に気体抽出導管１３５と液体抽出導管１２５が画定される中間部本体構造１０２である。中間部本体構造１０２は円筒形状であってもよく、対応する穴または分配アセンブリの一部（以下に記載される）と係合するためのＯリングの形態であってもよい、関連する周方向の封止要素１１２、１１３を有してもよい。気体抽出導管１３５の下部開口部１３０は中間部本体構造１０２の下面に沿って配置される。（以下に記載される、例えば、ライナ取り付け部アダプタまたは浸漬管連結器と係合するのに適していてもよい）下部本体構造１０３は、追加の周方向の封止要素１１１を有してもよく、さらに下方に延びて下端部１２０を画定してもよい。下端部１２０は、液体を抽出するための圧力分配コンテナの内部の浸漬管（図示せず）挿入連結部（diptube inserted link）と係合するために配置されても
よい。中間部本体構造１０２と下部本体構造１０３を組み合わせたものはプローブと呼ばれてもよい。
【００７３】
[0093]単一式コネクタ１００内に、独立した、別個のものである気体抽出導管１３５と液体抽出導管１２５を設け、リザーバの存在を排除することによって、図２に示されるコネクタは、本明細書中に上述した国際公開第２００７／１４６８９２号パンフレット（「‘８９２公報」）に開示されるような、リザーバと、共通の気体／液体導管とを含むコネクタとは異なっている。添付の図２に示すコネクタ１００は、コネクタ内のリザーバ内における気相／液相分離よりもむしろ、コネクタ１００が取り付けられた圧力分配パッケージ内の気泡（気体）と液体の一次分離に依存する。圧力分配コンテナの内容積に露出している（例えば、浸漬管の端部の）液体抽出開口部が同じ内容積に露出している気体抽出開口部の下に配置された場合、気体は、内容積から（液体抽出導管１２５および液体出口ポート１３８を通って）液体を抽出する前および／または最中に、内容積から（すなわち、気体抽出導管１３５および気体出口ポート１３８を通して）抽出されてもよい。圧力分配コンテナの内部に露出している気体抽出開口部は、好ましくは、コンテナの内部に露出している液体抽出開口部の上のレベルに配置される。液体および気体のための独立した抽出開口部があると、仮にライナが破断しても、浸漬管がライナ（または適切なコンテナ）の底部まで延びていれば、液体がライナ式圧力分配アセンブリのコネクタを通って継続的に流れることができる。また、‘８９２公報に開示される浸漬管（１つが浸漬管の上方の頂部部分、もう一方が浸漬管の底部にある２つのポートを含む）と比較すると、本明細書中に開示されるような浸漬管には浸漬管の頂部にポートがないため、仮にライナが漏れたとしても、液体（加圧気体なし）空気のみを浸漬管によって取り出すことができる。さらに、コネクタ内のリザーバ（すなわち、‘８９２公報に開示されるような）をなくすと、コネクタ１００の全体の大きさが大幅に削減され、また、高粘度および／または高流量の液体の分配に関連する任意の制約が回避されるが、コネクタ内のリザーバという狭い閉鎖空間における重力による相分離は気泡の液体流出流内への持ち越しを防ぐには遅すぎる可能性がある。
【００７４】
[0094]図３を参照すると、一実施形態において、圧力分配コンテナに使用する液体送達システムは、圧力分配コンテナに使用するコネクタとは別個のものであり、圧力分配コンテナに使用するコネクタ（図２に示されるコネクタ１００のような）の下流側に配置されるリザーバ式気体分離デバイス１８０を含んでもよい。分離デバイス１８０は、液体入口ポート１９５と、液体出口ポート１９６と、気体出口ポート１９７と、センサポート１９８とを画定するリザーバ本体１９０を含む。特徴がデバイス１８０に一致する（が圧力変換器はない）種々のろ過媒体を含む種々のタイプのリザーバ本体はMykrolis Corporation（Billerica，Massachusetts，USA）から市販されている。図３では、液体出口ポート１９６と気体出口ポート１９７のそれぞれは、各ポート１９６、１９７を通る流れを制御する、または調整するための関連するフロー制御要素（例えば、バルブ）１８６、１８７を有してもよい。リザーバ本体１９０は、液体の通過を可能にするが、気泡の通過を防ぐように構成されたろ過媒体１９１を収容する内容積を画定する。ろ過媒体１９１は、例えば、任意の１つ以上のメッシュ、充填または多孔性媒体、膜、スパンボンド材料（例えば、スパンボンドポリオレフィン）を含んでもよい。様々なまたは補完的な目的で複数のタイプのろ過媒体を使用してもよく、それは直列で配置してもよい。例えば、微粒子材料を捕捉するために第１のろ過媒体タイプおよび／または気孔率を使用してもよい。所定の第１の（例えば、より大きい）サイズの気泡の通過を防ぐために第２のろ過媒体タイプおよび／または気孔率を使用してもよい。所定の第２の（例えば、より小さな）サイズの気泡の通過を防ぐために第３のろ過媒体タイプおよび／または気孔率を使用してもよい。適切なろ過媒体の選択は、分配されるべき流体の特性およびその動作条件に依存してもよく、そのような選択は当業者に公知である。それぞれ互いに異なるろ過媒体を有する複数のフィルタ本体は直列で配置されてもよい。各フィルタは、好ましくは、取り外し可能であり、例えば、専用の取り付け具または交換用フィルタ素子を受容するように構成されたハウジングと交換可能である。
【００７５】
[0095]動作時、流体は液体供給ラインを通じてリザーバ式気体分離デバイス１８０に供給される。そのような流体には、混入した気泡および／または微粒子を有する液体を含んでもよい。流体はリザーバ本体１９０の内容積１９２に入る。一実施形態では、液体はろ過媒体１９１を通過することができるが、流体内の気泡は通過できない。気泡はろ過媒体１９１の外部に沿って蓄積し、その後、気体出口ポート１９７に向かって流れ、デバイス１８０を出てもよい。液体制御要素１８６が開いたままである一方、液体が気体制御要素１８７を通って漏れることを防ぐために、気体制御要素１８７は長時間閉じていてもよい。気体制御要素１８７は、液体制御要素１８６が開いたままの間、または液体制御要素１８６が閉じているときのいずれかに、定期的に開いて「げっぷ」させるか、別の手法でリザーバ内容積１９２内に蓄積された気体を排出してもよい。
【００７６】
[0096]圧力変換器１９９Ａはセンサポート１９８を通じて内容積１９２とセンサ連通し、そのような内容積１９２内の圧力を示す出力信号を発生させるために配置される。関連する制御部（図示せず）が配置され、出力信号に応答して、流体の流れ（例えば、リザーバ本体１９０に供給される流体流、リザーバ本体を出る液体流および／またはリザーバ本体を出る気体流）を制御するために使用してもよい。一実施形態では、圧力分配パッケージ内に流体がない、またはほぼない状態を示す分配流体の圧力降下を検出するために圧力変換器１９９Ａを使用してもよい。一実施形態では、適切な警報および／または救済措置を作動するために、ろ過媒体１９１の目詰まりおよび／または内容積１９２内における過剰気体の蓄積の可能性を示す、リザーバ本体１９０内における背圧上昇状態を送信するために圧力変換器１９９Ａを使用してもよい。リザーバ式気体分離デバイス１８０には、（例えば、容量性の）レベルセンサ１９９Ｂも設けられ、リザーバ本体１９０の内部１９２内の液位を検出するために使用してもよい。リザーバ式気体分離デバイス１８０の上流側に配置される圧力分配コンテナの動作および／またはリザーバ式気体分離デバイス１８０それ自体の動作は、圧力変換器１９９Ａの出力信号および／またはレベルセンサ１９９Ｂの出力信号に応答して制御してもよい。リザーバ本体１９０の内容積１９２内の液位が低下しすぎた場合、レベルセンサ１９９Ｂによって検出されると、そのような状態を、自動気体排出ユーティリティを提供するための気体制御要素１８７を使用して内容積１９２からの気体の排出を誘発するために使用してもよい。
【００７７】
[0097]一実施形態では、圧力変換器１９９Ａおよび／またはレベルセンサ１９９Ｂのいずれかを少なくとも１つの他のセンサと交換してもよい、または追加してもよい。センサ１９９Ａまたは１９９Ｂとして使用してもよいセンサのタイプの例には、光センサ、化学特定の存在および／または濃度センサ、粒子計数器、流量計測要素（例えば、コリオリ式センサ）および温度センサを含む。流量計測要素はマスフローコントローラで具現化してもよい。そのような他のセンサは利用可能なポート１９８を介してリザーバ本体１９０に連結してもよい、または流体入口ポート１９５、液体出口ポート１８６、および／または気体出口ポート１８７と直列するようなフロースルー関係で配置してもよい。１つ以上の他のセンサからの信号は、また、リザーバ式気体分離デバイス１８０の上流側に配置される圧力分配コンテナの動作および／またはリザーバ式気体分離デバイス１８０それ自体の動作を制御するために使用してもよい。
【００７８】
[0098]図４Ａ〜４Ｂは、一実施形態による、圧力分配パッケージのためのコネクタ２７０、ライナ取り付け部アダプタ２５０および浸漬管２３０を含む分配アセンブリ２００の特定の配置を示す。図４Ｂは、さらに下流側フロー制御構成要素の概略図を含む。ライナ取り付け部アダプタ２５０はコネクタ２７０とライナ取り付け部との間の中間連結のために配置される（そのような図６Ａおよび７Ａに示すように）。図４Ａを参照すると、コネクタ２７０は、本体構造２０１と、下方向に延びるプローブ部２７０Ａと、液体抽出導管２７２に流体連通している液体出口ポート２３８と、気体抽出導管２７９と流体連通している気体出口ポート２２８と、加圧気体導管に気体を供給するために配置された加圧気体入口と、を含む。液体抽出導管２７２はコネクタ２７０の下端部２７１において終端する。コネクタ２７０は、ライナとコンテナとの間の隙間容積に供給される気体の圧力を検出するために配置された任意の圧力センサを含んでもよい。コネクタ２７０と、ライナ取り付け部アダプタ２５０内に画定される長手方向の穴の上部部分２６０との密封係合を促進するために、周方向の封止要素２７４Ｂ、２７５Ｂ、２７６Ｂがコネクタ２７０の下部部分に沿って設けられてもよい。本文脈において使用される「長手方向の」という用語は、取り付け部アダプタが直立して配置される際、概して垂直軸線に沿う、またはその近傍の方向を意味する。コネクタ２７０がライナ取り付け部アダプタの長手方向の穴の上部部分２６０に挿入されると、コネクタ２７０の封止要素２７５Ｂ、２７４Ｂはライナ取り付け部アダプタ２５０中に画定される少なくとも１つの側方気体通路２５９のそれぞれ上下に配置される。コネクタ２７０の液体抽出導管２７２は中心部２５５と長手方向の穴の下部部分２５２と一直線に並び、浸漬管２３０との流体連通を可能にする。本文脈において使用される「側方」という用語は、実質的な長手方向から逸れた半径方向成分を有する方向を意味する。例えば、側方気体通路２５９は、ライナ取り付け部アダプタ２５０を通って長手方向の軸線に直交してもよい、または角度が付けられ、水平成分および垂直成分の両変化を含んでもよい。浸漬管２３０は、ライナ取り付け部アダプタ２５０の下部縁端２５１に沿って長手方向の穴の下部部分２５２に挿入可能である。圧力分配パッケージのライナの内容積に露出している開口部を含む側方気体通路２５９が気体抽出導管２７９と流体連通している。側方に突出した縁端２６１がライナ取り付け部アダプタ２５０の上部部分に沿って設けられる。側方に突出した縁端２６１の下に、周方向の封止要素２６６（例えば、Ｏリング）が、取り付け部アダプタ２５０とライナ取り付け部または他の構成要素（図示せず）との間の封止を促進するため溝２６５Ａに配置される。
【００７９】
[0099]図４Ｂは、図４Ａに示すものと同じ分配アセンブリ２００を示すが、関連する圧力変換器２４５と、液体フロー制御要素２４４と、圧力分配パッケージから分配される液体内の気泡の存在を示す出力信号を発生させるために配置された気泡センサ２４９とを有する液体出口ライン２４６を含む下流側フロー制御および検出アセンブリ２４０を追加している。フロー制御および検出アセンブリ２４０は、気泡センサおよび／または液体センサ２４２と、気体フロー制御要素２４３とを有する気体出口ライン２４１も含む。フロー制御および検出アセンブリ２４０は、分配アセンブリ２００に対応する、および／またはフロー制御および検出アセンブリ２４０のさらに下流側に配置されるプロセスに対応する、アセンブリ２４０内に配置される種々のセンサのいずれかから入力を受信するための制御部（図示せず）を含んでもよい。圧力変換器２４５を圧力分配パッケージ内に流体がない、またはほぼない状態を示す分配流体の圧力降下を検出するために使用してもよい。圧力変換器２４５の出力信号は、警報状態を作動するため、または任意の他の適切な処置をとるため、１つの圧力分配コンテナから別の圧力分配コンテナへの分配の自動切り換えを実施するのに使用可能である。液体出口ライン２４６に配置された気泡センサ２４９は、気泡が液体ラインに分配されたかどうかを検出するために使用してもよく、そうであれば、分配を停止するために使用してもよい。気体出口ライン２４１に配置された気泡センサおよび／または液体センサ２４２は、気体出口ライン２４１に存在する液体を示す状態を検出するために使用してもよく、そうであれば、気体出口ライン２４１を流体が通過するのを停止するために使用してもよい。前述のセンサは、レベルセンサ、容量式センサ、光センサ、化学特定の存在および／または濃度センサ、圧力センサ、粒子計数器、および流量計測要素のような（だが、それに限定しない）本明細書中に開示されるような種々のタイプの１つ以上のセンサと交換してもよい、または追加してもよい。ヘッドスペース気体は、圧力分配コンテナから液体に圧力を分配する直前またはその初期に気体出口ライン２４１を通じて排出してもよい。気体フロー制御要素２４３（例えば、バルブ）はそのような排出を選択的に始動するように作動できる。気体出口ラインを通る流れは、液体が液体出口ライン２４６を流れている間の液体分配動作中、遮断してもよい。
【００８０】
[00100]図５Ａ〜５Ｃは、図４Ａ〜４Ｂに示されるライナ取り付け部アダプタ２５０に特徴が類似するライナ取り付け部アダプタ３５０を示す。取り付け部アダプタ３５０の雄内部部分３５０Ａはフレア縁端３６２を有する上部面３６１を含み、環状凹部３６３が上部面３６１の下に延びる。フレア縁端３６２の下には、取り付け部アダプタ３５０と、ライナ取り付け部または他の構成要素（図示せず）との間の封止を促進するためのＯリング（図示せず）のような封止要素を受容するための周方向の溝３６６が設けられる。
【００８１】
[00101]図５Ｂに示すように、取り付け部アダプタ３５０は、壁３５７と、雌外部部分
３５０Ｂに挿入するために配置された雄内部部分３５０Ａとを有するカップ状の雌外部部分３５０Ｂを含む２つの部品で製作してもよい。雌外部部分３５０Ｂは、空洞３５４と、雄内部部分３５０Ａの側方気体通路３５９を画定する側方管３５９Ａを受容するために配置された切り欠き３５３とを画定する。雌外部部分３５０Ｂは、雄内部部分３５０Ａの突出した下端部３５１Ａを受容するために配置された穴３５８を画定する下端部３５１Ｂを有する。そのような部分を保持するために、移動止めおよび凹部要素が部分３５０Ａ、３５０Ｂに画定される。雄内部部分３５０Ａは、（部分的に上向きに突出した管状部分３６０Ａによって画定される）上部穴部３６０と、中間穴部３５５と、取り付け部アダプタ３５０の雄部３５０Ａの下部縁端３５１Ｂに延びる下部穴部３５２とを含む長手方向の穴を画定する。穴部３６０、３５５、３５２は、好ましくは同軸であるが、示すように、互いに対して異なる直径を有してもよい。中間穴部３５５は、上部穴部３６０と下部穴部３５２のそれぞれよりも小さな直径を有してもよく、コネクタまたは浸漬管のいずれかがライナ取り付け部アダプタ３５０内に深く挿入されすぎることを防ぐための移動停止部として機能する。下部穴部３５２は、任意選択で、長手方向の穴の下部穴部３５２に挿入された浸漬管（図示せず）を圧縮的に保持するために配置された少なくとも１つのら旋圧縮機能（図示せず）を画定してもよい。上部穴部３６０は、（図４Ａ〜４Ｂに示されるコネクタ２７０のような）コネクタの一部を受容するために配置される。図５Ｃに示されるような側方気体通路３５９は、長手方向の穴の上部穴部３６０に実質的に直交する（垂直である）。ライナ取り付け部アダプタ３５０を含む分配アセンブリの動作時、側方気体通路３５９は、好ましくは、コネクタが上部穴部３６０に挿入されると気体抽出導管と流体連通する。
【００８２】
[00102]図６Ａは、圧力分配パッケージにおいて使用するために配置された、コネクタ３７０と、クロージャ３１０と、ライナ取り付け部リテーナ３１５と、ライナ取り付け部アダプタ３５０と、を含む分配装置３００を示す。ライナ取り付け部（図示せず）は取り付け部リテーナ３１５とライナ取り付け部アダプタ３５０との間に配置されうる。コネクタ３７０は、本体構造３０１と、下方向に延びるプローブ部３７０Ａと、液体抽出導管３７２と流体連通している液体出口ポート３２８と、気体抽出導管３７９と流体連通している気体出口ポート３３８と、加圧気体導管３４７と流体連通している加圧気体入口３４８と、を含む。液体抽出導管３７２は、コネクタ３７０の下端部３７１において終端する。コネクタ３７０は、ライナとオーバーパックコンテナとの間の間隙空間の圧力を検出するために配置されてもよい任意の圧力センサを含んでもよい。種々の周方向の溝（例えば、溝３７５Ａ、３７６Ａ、３７７Ａ）は、コネクタ３７０と、ライナ取り付け部アダプタ３５０内に画定される長手方向の穴の上部部分３６０との密封係合を促進するためにコネクタ３７０の一部に沿って設けられてもよいＯリングのような、周方向の封止要素（例えば、封止要素３７４Ｂ、３７７Ｂ）を保持するように配置される。コネクタ３７０がライナ取り付け部アダプタ３５０の長手方向の穴の上部部分３６０に挿入されると、コネクタ３７０の（例えば、溝３７５Ａ、３７６Ａに取り付けられるような）封止要素が、ライナ取り付け部アダプタ３５０中に画定される側方気体通路３５９のそれぞれ上下に配置される。コネクタ３７０の液体抽出導管３７２は長手方向の穴の中心部３５５と下部部分３５２とに一直線に並び、長手方向の穴の下部部分３５２にライナ取り付け部アダプタ３５０の下部縁端３５１に沿って挿入可能な（図６Ｂに示される浸漬管３３０のような）浸漬管との流体連通を可能にする。図６Ａに示されるような側方気体通路３５９は、ライナ取り付け部アダプタ３５０内に画定される長手方向の穴の上部部分３６０に実質的に直交する（垂直である）。側方気体通路３５９は、コネクタ３７０が取り付け部アダプタ３５０内に挿入されると（コネクタ３７２に画定される側方領域３７８によって）気体抽出導管３７９と流体連通する。側方に突出した縁端がライナ取り付け部アダプタ３５０の上部部分に沿って設けられる。側方に突出した縁端３６１の下には、取り付け部アダプタ３５０と、ライナ取り付け部リテーナ３１５または他の関連する構成要素との間の封止を促進するための周方向の封止要素（例えば、Ｏリング）を受容するための周方向の溝３６６が設けられる。
【００８３】
[00103]折りたたみ可能なライナ（図示せず）に接合されるように構成されたライナ取り付け部（図示せず）がライナ取り付け部アダプタ３５０に隣接した配置のために配置される。オーバーパックコンテナ（図示せず）のような圧力分配容器のためのクロージャ３１０がライナ取り付け部リテーナ３１５およびライナ取り付け部アダプタ３５０の上に配置される。クロージャ３１０は圧力分配容器の対応する雄ねじ首（図示せず）と係合するために配置される雌ねじ面３１１を含む。クロージャ３１０は、上方に延びてコネクタ本体３０１の下部部分に沿ってねじ状のソケット３０２を受容する関連する雄ねじ首３１２を有する。ブレイクシール３０５がねじ首３１２内に、またはそれに隣接して配置され、好ましくは、コネクタ３７０がブレイクシール３０５を通して挿入され、ライナ取り付け部アダプタ３５０と係合するまで圧力分配パッケージ内において封止状態を維持する破断可能な膜を含む。コネクタ３７０がライナ取り付け部アダプタ３５０に挿入されると、（ａ）気体抽出導管３７９とライナ取り付け部に取り付けられたライナ（図示せず）の内容積との間、（ｂ）液体抽出導管３７２とライナの内容積との間、および（ｃ）加圧気体導管（図示せず）と、オーバーパックコンテナ（図示せず）とライナとの間の間隙空間との間に流体連結が同時に形成される。１回のコネクタ挿入工程によって同時連結を設けることは、使用者の利便性を促進するとともに、不完全連結の可能性を除去する。ライナ内の単一の開口部の存在は潜在的な漏れ経路を最小限にする。
【００８４】
[00104]分配アセンブリ３００における使用に適した浸漬管３３０が図６Ｂに示される。流体を導くために配置された中心穴を含む浸漬管は、真直な上端部３３２と、側方開口部３３３および底部穴開口部（図示せず）を含む下端部３３１とを含む。側方穴開口部３３３と底部穴開口部両方が存在することによって、圧力分配動作中にそのようなライナを折りたたむことによって、ライナから浸漬管３３０への液体の流れが妨げられる（すなわち、垂直方向および横方向の両方に）可能性が低下する。浸漬管３３０は（図６Ａに示される）ライナ取り付け部アダプタ３５０の長手方向の穴の下部部分３５２にプレス嵌めされるように配置された真直な上端部３３２を有する。ライナ取り付け部アダプタ３５０の長手方向の穴の中間部３５２が浸漬管３３０よりも小さな直径を有するため、浸漬管３３０は、ライナ取り付け部アダプタ３５０が圧力分配コンテナに挿入される前に、およびコネクタ３７０がライナ取り付け部アダプタ３５０の長手方向の穴の上部部分３６０に挿入される前に、ライナ取り付け部アダプタ３５０の長手方向の穴の下部部分３５２に嵌合されるべきである。
【００８５】
[00105]図７Ａは、多くの点において図６Ａの分配装置に類似するが、異なる浸漬管（
すなわち、図７Ｂに示される浸漬管４３０）における使用のために配置された異なるライナ取り付け部アダプタ４５０を備える分配装置４００を示す。分配装置４００は、圧力分配パッケージにおいて使用するために配置された、コネクタ４７０と、クロージャ４１０と、ライナ取り付け部リテーナ４１５と、ライナ取り付け部アダプタ４５１とを含む。コネクタ４７０は、本体構造４０１と、下方向に延びるプローブ部４７０Ａと、液体抽出導管４７２と流体連通している液体出口ポート４２８と、気体抽出導管４７９と流体連通している気体出口ポート４３８と、加圧気体導管（図示せず）と流体連通している加圧気体入口４４８とを含む。液体抽出導管４７２はコネクタ４７０の下端部４７１において終端する。コネクタ４７０は任意の圧力センサを含んでもよい。この圧力センサはライナとオーバーパックコンテナとの間の間隙空間と流体連通している関連する圧力検出ラインを有してもよい。Ｏリングのような周方向の封止要素（例えば、封止要素４７４Ｂ、４７７Ｂ）を保持するように配置される種々の周方向の溝（例えば、溝４７５Ａ、４７６Ａ、４７７Ａ）がコネクタ４７０の一部に沿って設けられ、コネクタ４７０と、ライナ取り付け部アダプタ４５０の長手方向の穴の上部部分４６０との密封係合を促進してもよい。コネクタ４７０が長手方向の穴の上部部分４６０に挿入されると、コネクタ４７０の（例えば、溝４７５Ａ、４７６Ａ内に取り付けられるような）封止要素が、ライナ取り付け部アダプタ４５０中に画定され、長手方向の穴内に延び、コネクタ４７０内に画定される側方領域４７８と気体抽出導管４７９とに流体連通している側方気体通路（図示せず）のそれぞれ上下に配置される。溝４７６Ａ、４７７Ａは、ライナ取り付け部アダプタ４５０の長手方向の穴の上部部分４６０に係合するように配置された封止要素（図示せず）を含んでもよい。
【００８６】
[00106]コネクタ４７０がライナ取り付け部アダプタ４５０に挿入されると、コネクタ
４７０の下端部４７１（すなわち、液体抽出導管４７２への開口部）は、連結器４９０の上部凹部に係合するように配置された、連結器４９０の周方向の溝４７５Ａに配置される第１の封止要素４７４Ｂおよび追加の封止要素（図示せず）を備えた長手方向の穴内に配置された連結器４９０に係合する。連結器４９０は、長手方向の穴の肩部４６１に当接するように配置されたフレア外部部分４９５を備えた本体４７１を含む。連結器４９０の外部表面４９３に沿って配置されたリブ４９７が取り付けアダプタ４５０を支持するため、および配置するために設けられる。空隙（図示せず）は気体がリブ４９７を越えて通過することを可能にする。連結器４９０は、また、長手方向の穴の下部部分４５５に挿入可能であり、連結器４９０の下端部４９１と係合する（図７Ｂに示される浸漬管４３０のような）浸漬管との流体連通を可能にするための液体抽出導管４７２と流体連通している液体導管４９５を画定する。図７Ｂに示されるように、連結器４９０の外部表面４９３は、好ましくは浸漬管４３０のフレア上部部分４３２の内部表面に係合する。
【００８７】
[00107]分配アセンブリ４００における使用のために配置された浸漬管４３０（図７Ｂに示される）は、下端部４３１で終端する管状体まで肩部４３４において先細りするフレア部４３５を備えた上端部４３２を含み、中空の穴が下端部４３１から上端部４３２まで延びる。穴への側方開口部４３３が下端部４３１の近辺に画定される。浸漬管４３０の下端部４３１はライナ式圧力分配パッケージのライナ内に挿入可能であり、浸漬管４３０の下端部４３１はライナの内容積に露出している液体抽出開口部として機能する。
【００８８】
[00108]図７Ａを７Ｂとあわせて参照すると、一実施形態において、コネクタ４７０の下端部４７１に連結器４９０と浸漬管４３０が固設され、（浸漬管４３０、連結器４９０およびコネクタ４７０を含む）組み合わせられたサブアセンブリが共にブレイクシール４０５を通ってライナ取り付け部アダプタ４５０の長手方向の穴に（例えば、上部部分４６０を通って長手方向の穴の下部部分４５５に）挿入される。浸漬管４３０はライナ取り付け部アダプタ４５０内に画定される下部開口部４５６を通って延びる。保持または封止要素４５６Ａが下部開口部４５６に隣接して配置され、浸漬管４３０に構造支持および／または密封係合を設けてもよい。浸漬管４３０および連結器４９０を上から（すなわち、圧力分配パッケージの外側から）挿入する機能によって、エンドユーザは特定の圧力分配コンテナにおける使用に適切な寸法の浸漬管４３０を選択することができる。浸漬管４３０、連結器４９０およびコネクタ４７０を長手方向の穴に挿入後、連結器４９０と浸漬管４３０の取り外しを、長手方向の穴の上部部分４６０と下部部分４５５とを分割する肩部４６１の存在によって阻止してもよい。肩部４６１が最小化された場合は、浸漬管４３０と連結器４３０は分配アセンブリの上方から取り外されてもよい。
【００８９】
[00109]別の実施形態では、コネクタ４７０がブレイクシール４０５を越えて、長手方向の穴の上部部分４６０に挿入される前に、連結器４９０および浸漬管４３０をライナ取り付け部アダプタ４５０の長手方向の穴に配置してもよい。
【００９０】
[00110]引き続き図７Ａについて述べると、側方に突出した縁端がライナ取り付け部ア
ダプタ４５０の上部部分に沿って設けられる。側方に突出した縁端４６１の下に、周方向の封止要素（例えば、Ｏリング）を受容するための溝４６５が設けられ、取り付け部アダプタ４５０と、ライナ取り付け部または他の関連する構成要素との間の保持を促進する。
ライナ取り付け部（図示せず）および折りたたみ可能なライナ（図示せず）をライナ取り付け部アダプタ４５０に隣接して設けてもよい。
【００９１】
[00111]オーバーパックコンテナ（図示せず）のような圧力分配容器のためのクロージャ４１０がライナ取り付け部リテーナ４１５およびライナ取り付け部アダプタ４５０の上に配置される。クロージャ４１０は、圧力分配容器の対応する雄ねじ首（図示せず）と係合するために配置された雌ねじ面４１１を含む。クロージャ４１０は、上方に延びて、コネクタ本体４０１の下部部分に沿ってねじ状のソケット４０２を受容する、関連する雄ねじ首４１２を有する。ブレイクシール４０５がねじ首４１２内に、またはそれに隣接して配置され、好ましくは圧力分配パッケージ内において封止状態を維持する破断可能な膜を含む。１つ以上の構成要素（例えば、コネクタ４７０）がブレイクシール４０５を通して挿入され、ライナ取り付け部アダプタ４５０と係合する。コネクタ４７０がライナ取り付け部アダプタ４７０に挿入されると、（ａ）気体抽出導管４７９とライナ取り付け部に取り付けられるライナの内容積（図示せず）との間、（ｂ）液体抽出導管４７２とライナの内容積との間、および（ｃ）加圧気体導管と、オーバーパックコンテナ（図示せず）とライナとの間の間隙空間との間に流体連結が同時に形成される。
【００９２】
[00112]特定の実施形態では、流体の存在または流体回路内の流動流体の相変化を検出
するために複数の温度検出素子を使用してもよい。流体検出における温度センサの使用は、非常に不透明な液体（例えば、表示モニタの製造における平坦なパネルのコーティングに使用される着色した色フィルタ材料および類似の流体）の存在または相変化を検出するために有利に用いられてもよい。その理由は、そのような流体が、一般に光検出に適していないためである。第１の位置において流動流体に熱を放散してもよい。第１の検出素子は、第１の発熱体と流体とにセンサ連通して配置され、第１の発熱体の温度と相関する第１の出力信号を発生させるように構成してもよい。一実施形態では、第１の発熱体および第１の検出素子は、第１のサーミスタが自己加熱するのに十分な第１の電流レベルで駆動する単一の（第１の）サーミスタを含んでもよい。第２の検出素子は、流体回路内の第２の位置において流体とセンサ連通して配置され、第２の位置にある流体の温度と相関する第２の検出素子の出力信号を発生させるように構成してもよい。一実施形態では、第２の検出素子は、第１の電流レベルよりも実質的に低い第２の電流レベルで駆動する第２のサーミスタを含む。（例えば、比較器と増幅器を含むが、それに限らない）信号処理要素は、第１の検出素子の出力信号および第２の検出素子の出力信号を受信するため、ならびに第１の検出素子の出力信号と第２の検出素子の出力信号との比較を基に流体回路内における流体の存在または流動流体の相変化を判定するために配置してもよい。少なくとも１つの別個の発熱体とともに（例えば、熱電対および測温抵抗体を含むが、それに限らない）他の種類の温度検出素子を使用してもよい。
【００９３】
[00113]前述の装置では、液相または気相における流体の熱容量が異なることから液体または気体の存在を検出することができる。液相の流体は一般に気相の流体に比べて熱容量が大きい。そのような熱を放散するため、発熱体上を流れる気体の能力を超えるレベルの電流が発熱体（例えば、サーミスタを含む）に供給されると、発熱体は自己加熱を呈し、その温度が上昇する。そのような温度は第１の温度センサで検出可能である。しかしながら、同様の電流供給レベルで動作する同様の発熱体が発熱体上を流れる液体に曝露すると、流れる液体がそのような熱を吸収することができるならば、発熱体は自己加熱を呈さなくてもよい。同じ流体回路内において流体とセンサ連通している第２の温度センサは温度補償のために使用される。第１の温度センサと第２の温度センサ間の温度の差は増幅され、測定される。第１の温度センサの自己加熱状態に相当する状態の検出は第１の温度センサが気体に曝露していることを示し、一方で、第１の温度センサの自己加熱状態がないことに相当する状態の検出は第１の温度センサが液体に曝露していることを示す。流体回路を通る可能な流量の時間に対する変化を説明するため、第１の温度センサと第２の温度センサ間の比較も任意の流量センサの出力によって補償してよい。
【００９４】
[00114]一実施形態では、（上述のような）流体の存在または流体回路内の流動流体の相変化を検出するための装置の種々の構成要素は、ライナの外側にその圧縮のための圧力を加えるための加圧気体を気体源から受容するために配置されたライナ式圧力分配コンテナのためのコネクタ、または流体分配コンテナの下流側に配置される流体回路内に位置するように配置された装置のような単一の装置に一体化してもよい。一実施形態では、第１の検出素子および第２の検出素子は第１の装置（例えば、圧力分配コンテナのためのコネクタ）内に配置される。信号処理要素は、第１の装置から物理的に離れている第２の装置内に配置され、両者の間には適切な電気接続がある。
【００９５】
[00115]一実施形態では、第１の温度検出素子および第２の温度検出素子を利用して流
体の存在または流体回路内の流動流体の相変化を検出するように構成された装置が、（例えば、ライナ式圧力分配コンテナのような流体分配コンテナの下流側にある）流体回路内の流動流体の気相から液相への相変化を検出するように構成されている。一実施形態において、第１の温度検出素子および第２の温度検出素子を利用して流体の存在または流体回路内の流動流体の相変化を検出するように構成された装置が、流体回路内における流動流体内の少なくとも１つの気泡の有無を検出するように構成されている。
【００９６】
[00116]一実施形態では、第１の温度検出素子および第２の温度検出素子を利用して流
体の存在または流体回路内の流動流体の相変化を検出するように構成された装置を、異なる検出原理（例えば、光センサ、容量式センサ等）によって動作する少なくとももう１つの検出装置とともに使用している。そのような異なる検出装置の信号が比較される。異なる検出原理によって動作する装置を使用することによって、信頼性を向上し、分配エラーの可能性を低下させてもよい。
【００９７】
[00117]一実施形態において、流体分配システムは、第１の温度検出素子および第２の
温度検出素子を利用して流体の存在または流体回路内の流動流体の相変化を検出するように構成された装置と、第１の温度検出素子の出力と第２の温度検出素子の出力を比較するために配置された信号処理要素とを含む。このような流体分配システムは、さらに気体排出口と、プロセスツールと流体連通している液体受容ラインと、流体を液体受容ライン内に選択的に受け入れるように配置されたフロー制御要素とを含み、このシステムは、流体回路内の液体の存在を示す信号処理要素から得た信号の受信に応答して、流体を液体受容ライン内に受け入れるようにフロー制御要素を動作するように構成されている。
【００９８】
[00118]一実施形態において、流体の存在または流体回路内の流動流体の相変化を検出するための方法では、流体回路内の第１の位置において流体とセンサ連通している第１のサーミスタを使用するとともに、流体回路内の第２の位置において流体とセンサ連通している第２のサーミスタを使用する。第１のサーミスタは、第１のサーミスタの検出部が気体に曝露すると、第１のサーミスタが自己加熱を起こすのに十分な第１の電流レベルで駆動する。第２のサーミスタは、第１の電流レベルよりも実質的に低い第２の電流レベルで駆動する。（例えば、比較器および増幅器を含んでもよい信号処理要素を使用して）第１のサーミスタの第１の出力信号と第２のサーミスタの第２の出力信号とが比較され、そのような比較に基づき流体回路内における流体の存在または流動流体の相変化を判定する。一実施形態では、（ｉ）流体回路からの気体の排出および／または（ｉｉ）流体回路からプロセスツールへの流体の分配を選択的に制御するためにフロー制御要素が使用される。そのようなフロー制御要素は第１の出力信号と第２の出力信号の前記比較に応答して制御される。
【００９９】
[00119]一実施形態では、気体源から加圧気体を受容するために配置されたライナ式圧力分配コンテナに流体回路が作動的に連結され、ライナの外側にその圧縮のための圧力が加えられる。方法には、第１の温度センサによって得られた第１の出力信号と第２の温度センサによって得られた第２の出力信号との比較に応答して、ライナ式圧力分配コンテナから流体回路への流体の分配を制御するステップを含む。第１の温度センサは、流体回路内の流体に熱を放散するために配置された発熱体を含む、またはそれに関連付けられる。
【０１００】
[00120]図８は、複数の温度検出素子５２１、５２２と、温度検出素子５２１、５２２
の出力の比較を基に流体回路５３０内における流体の存在または流動流体の相変化を判定するように配置された信号処理要素５２５とを含む流体分配システム５００の種々の構成要素間の相互接続を示す結線図である。流体は圧力分配装置から流体回路５３０内に分配される。圧力分配装置は、折りたたみ可能なライナ５１２を収容し、気体源５０２から、外部コンテナ５１０とライナ５１２との間の間隙空間５１１内に気体供給ライン５０３を介して加圧気体を受容するために配置された外部コンテナ５１０を含む。間隙空間５１１内に加圧気体が供給されると、このような気体はライナ５１２にその圧縮のための外部圧力を加え、ライナ５１２から流体回路５３０内に流体を分配する。流体回路５３０は、流体回路５３０内の流体の流量を検出するためのフロー検出素子５２３を含んでもよい。第１の温度検出素子および第２の温度検出素子（例えば、サーミスタ）５２１、５２２が流体回路５３０内の流体とセンサ連通して配置されている。種々の検出素子５２１〜５２３は、制御機能も提供してよい信号処理要素５２５と連通している。信号処理要素５２５は、マイクロプロセッサ、ディスクリート回路素子、プログラマブルロジックコントローラおよび／またはセンサの入力を受信し、処理するとともに、出力信号を供給するために配置され、任意選択で、ソフトウェアのような機械可読な命令を実行するように配置された他の公知の要素を含んでもよい。加圧気体源５０２は、ライナ５１２から流体回路５３０内への流体の分配を制御する、またはそれに影響を及ぼすための信号処理要素５２５から信号を受信するために配置してもよい。温度検出素子５２１、５２２の下流側に、１つ以上のバルブのような少なくとも１つのフロー制御要素が、流体を排出口５３１（および／または廃棄口）もしくはプロセスツールまたは他の使用箇所５３２に選択的に受け入れるために配置される。プロセスツールまたは他の使用箇所５３２の上流側にデガッサー５３３を配置してもよい。少なくとも１つのフロー制御要素がその自動動作のための信号を信号処理要素５２５から受信するために配置される。
【０１０１】
[00121]流体分配システム５００の動作時、加圧気体が、圧力分配コンテナ５１０とそ
の中に収容されたライナ５１２との間の間隙空間５１１に供給され、ライナ５１２を圧縮し、ライナから流体回路５３０内に流体を分配する。ライナ５１２内に収容された流体は、流体回路内に分配される流体がまず主としてヘッドスペース気体を含みうるように、ヘッドスペース気体および液体（例えば、着色した色フィルタ材料のような非常に不透明な液体または類似の流体）を含んでもよい。流体の流量はフロー検出素子５２３によって検出してもよく、流体流量と相関する信号を信号処理要素５２５に供給してもよい。１つの温度検出素子５２１（例えば、サーミスタ）は気体に曝露している温度検出素子５２１を自己加熱させるのに十分な電流で駆動される。第２の温度検出素子５２２（例えば、サーミスタ）は、他方の温度検出素子５２１に供給される電流よりも実質的に低い電流で駆動される。そのため第２の温度検出素子５２２は流体回路５３０内において気体に曝露しても自己加熱しない。信号処理要素５２５は、第１の温度検出素子５２１および第２の温度検出素子５２２から信号を受信し、それらを比較して、気体または液体が流体回路５３０内に存在するかどうかを判定する。流体回路５３０内に気体を検出した場合、信号処理要素５２５は、流体回路５３０から排出口５３１または廃棄口に流体を受け入れるために少なくとも１つのフロー制御要素によって使用される信号を発生する。代替的に、ヘッドスペース気体の初期排出後に流体回路５３０内に液体を検出した場合、これは、ヘッドスペース気体がすべて排出され、システム５００は液体をプロセスツール５３２または他の使用箇所に分配する準備を完了し、フロー制御要素は流体回路５３０からプロセスツール５３２または他の使用箇所に液体を受け入れるために信号処理要素からの信号に応答することを意味してもよい。そのような液体は、液体に溶解または混入する任意の気体を低減または除去するための任意のデガッサー５３３を通って流れてもよい。システム５００の任意の１つ以上の種々の構成要素（例えば、検出素子５２１〜５２３、信号処理要素５２５および／またはフロー制御要素）は、任意選択で、圧力分配コンテナ５１０と係合するように適合させたコネクタ５１５内またはその上に配置してもよい。そのようなコネクタ５１５は、任意の１つ以上の追加のコネクタ構成要素および／または本明細書中に上述したような特徴を組み込んでもよい、または含んでもよい。
【０１０２】
[00122]図９は、流体回路内の流体と熱連通して配置可能な第１のサーミスタと第２の
サーミスタの使用を含む、流体回路内の流体の存在または流動流体の相変化を検出するための装置の電気素子をモデルとした回路図である。（例えば、Jameco２０７４８３サーミスタ（Jameco Electronics，Belmont，Calif．）において具現化されうるようなサーミスタＲ２によって第１の、すなわち主要温度検出素子を具現化し、５．０５ミリアンペアの電流で駆動する。Jameco２０７４８３サーミスタの特徴は、４．３％／℃および６．５ｍＷ／℃と明示される。サーミスタＲ２の特徴を考慮すると、サーミスタＲ２が空気に曝露すると摂氏約３．８度の自己加熱が期待されるが、液体では、そのような自己加熱は、液体の熱容量が空気と比較するとかなり高いためにほぼゼロである。（サーミスタＲ２と同じタイプを含んでもよい）サーミスタＲ３は５０マイクロアンペアの電流で駆動し、気体または液体への曝露時にほとんど自己加熱しない。このサーミスタＲ３は他のサーミスタＲ２からの信号を補償するために使用される。２つのサーミスタＲ２、Ｒ３の出力信号間の差は増幅器Ｕ３を使用して増幅され、測定される。示したシミュレーションでは、気体と液体間の信号の予想変化は１０％（すなわち、空気では約９００ｍＶ、液体では約１０００ｍＶ）であり、この差は標準的な回路部品で容易に検出可能である。前に示したように、サーミスタ以外のタイプの温度検出素子を使用してもよい。
【０１０３】
[00123]前に示したように、ライナ式圧力分配パッケージを含む例証的な実施形態を説明したが、本発明の態様をライナのないパッケージおよびコンテナシステムに適用してもよい。一実施形態では、コネクタを分配アセンブリに挿入すると、（ａ）気体抽出導管とコンテナ内の分配容積との間、（ｂ）液体抽出導管とコンテナ内の分配容積との間、および（ｃ）加圧気体導管と圧力分配容器内の加圧されるべき空間との間に流体連結が同時に形成される。気体抽出導管と、液体抽出導管と、加圧気体導管は互いに別個のものである。
【０１０４】
[00124]特定の実施形態では、第１の圧力分配装置によって分配される源材料（例えば、液体）が気体に接触することによるマイナスの影響は、第１の圧力分配装置からの所望の量の流体の分配と相関する状態、または第１の圧力分配装置によって分配される流体の気体飽和への接近と相関する状態を検出し、第１の圧力分配装置の出力を第２の圧力分配装置によって分配される流体と反応的に組み合わせる（例えば、希釈する）ことによって低減される。組み合わせ流体流は分配導管によって半導体デバイスまたは超小型電子デバイスの処理用ツールのような所望の使用箇所に供給してもよい。複数の圧力分配装置からの流体流をそのように組み合わせることによって、流体の気体飽和レベル（例えば、半導体処理および／または超小型電子デバイス処理用の源材料）を許容レベル未満に維持することができる。複数の圧力分配装置によって出力された流れを組み合わせるための１つ以上のしきい値として（例えば、１つ以上の検出素子を使用して）検出されうる種々の状態には、圧力分配装置によって出力された流体の圧力、圧力分配装置内に残った流体の重量（または、逆に、圧力分配装置によって分配された流体の重量）および／または圧力分配装置によって分配される流体の総流を含む（が、これに限定されない）。
【０１０５】
[00125]好ましくは、第１の圧力分配装置と第２の圧力分配装置によって出力された流体流を組み合わせた場合、第２の圧力分配装置は、第１の圧力分配装置よりもより少ない気体（およびより低い気体／源材料（例えば、液体）比を有する）を含む。少なくとも１つの排出可能なリザーバは、好ましくは、第１の圧力分配装置および第２の圧力分配装置から流体を受容するために設けられ、出口の上流側からプロセスツールまたは源材料（例えば、液体）の他の所望の使用箇所までの気体と液体の分離を可能にする。特定の実施形態では、各圧力分配装置は関連する専用の排出可能なリザーバを有する。各圧力分配装置に専用の排出可能なリザーバを使用すると、１つの圧力分配装置の作用および動作性能を別の圧力分配装置から分離することができる。各排出可能なリザーバは、液体出口と、気体出口と、源材料（例えば、液体）入口と、ヘッドスペース気体入口とを含んでもよい。好ましくは、制御弁は入口と出口のそれぞれに関連する。気体出口は、気体と液体の分離を重力によって補助することができるように液体出口の上に配置してもよい。排出可能なリザーバ内における所望の液位を、そのようなリザーバ内の所定のレベルにおける源材料の存在および／または欠如を検出するために配置された（レベルセンサ、容量式センサ、導電率センサ、光センサ等のような任意の適切なタイプの）センサと作動的に結合される流出制御弁によって自動的に維持してもよい。各排出可能なリザーバは、（例えば、ヘッドスペース除去のための）液体源材料の分配前および／または液体源材料の分配中のような、気体の少なくとも周期的な排出を可能にする。一実施形態では、排出可能なリザーバは、本明細書中に上述したように、液体の通過を可能にするが、気泡の通過を防ぐように構成されたろ過媒体を含む。一実施形態では、排出可能なリザーバは圧力分配コンテナから物理的に分離されてもよい。別の実施形態では、排出可能なリザーバは、例えば、そのようなコンテナと係合するように配置されたキャップ内においてリザーバを一体化することによって圧力分配コンテナに取り付けてもよい。
【０１０６】
[00126]第１の圧力分配装置と第２の圧力分配装置によって排出される流体の流れは、Ｔ字管、マルチポートバルブまたは任意の他の適切な集流構造において組み合わせてもよい。生じる組み合わせ流の均一性を高めるために１つ以上の静的および／または動的ミキサを使用してもよい。一実施形態では、第１の圧力分配装置および第２の圧力分配装置によって分配される流体は（例えば、その中に溶解した任意のヘッドスペース気体の存在は別として）同じ組成物を有する。別の実施形態では、第１の圧力分配装置と第２の圧力分配装置によって分配される流体は異なる組成物を有する。
【０１０７】
[00127]第１の圧力分配装置と第２の圧力分配装置によって排出される流体の流れは任意の所望の割合で組み合わせてもよい、および／または調整してもよい。一実施形態では、第１の圧力分配装置と第２の圧力分配装置からの流れはほぼ同じ割合で組み合わせてもよい。特定の実施形態では、第１の圧力分配装置と第２の圧力分配装置の出力を含む組み合わせ流における流体の割合は、相関する圧力分配装置の相対的な分配圧力を調整することによって、および／または１つ以上の流体流の流れを調整するために配置された１つ以上の制御弁を使用することによって変えてもよい。特定の実施形態では、第１の圧力分配装置の出力と第２の圧力分配装置の出力を含む組み合わせ流における流体の割合は時間に対して変化する。例えば、第１の圧力分配装置に源材料（例えば、液体）がほぼなくなり、かつ高濃度の気体がその中に存在すると、第１の圧力分配装置から排出される流体と混合される第２の圧力分配装置から排出される流体の割合を増加させ、組み合わせ流の流れを許容可能な低い気体飽和レベルで維持してもよい。組み合わせ流体流における構成流体の割合は、圧力センサ、重量計または（総流量センサ（totalized flow sensors）を含む）流量センサのような（が、これに限定されない）１つ以上のセンサの出力に応答して調整してもよい。
【０１０８】
[00128]第１の圧力分配装置から分配される流量が減少すると、第１の圧力分配装置の加圧時間が延長される。この延長された時限の間、中の液体が完全になくなる前に、さらなる気体が第１の圧力分配装置（またはそのコンテナ）内に残った小量の液体に溶解する。混合の開始点次第では、第１の圧力分配装置内の気体が気体飽和状態に達するまで源材料（例えば、液体）内に継続して溶解する。簡単な混合アルゴリズムには、第１の圧力分配装置内に残ったすべての源材料が飽和し、そのような材料が別の（例えば、第２の）圧力分配装置からの源材料と適切に混合され、加圧気体で飽和されない生成源材料の混合物が得られるという仮定を含む。他の混合アルゴリズムを用いてもよい。一実施形態では、第１の圧力分配装置内に残った液体（または第１の圧力分配装置によって分配される液体）の気体含有量を示す状態を検出するために、少なくとも１つのセンサを、任意選択で、第２の圧力分配装置内の液体（または第２の圧力分配装置によって分配される液体）の気体含有量を示す状態を検出するために使用される少なくとも１つのセンサと組み合わせて使用してもよい。そのようなセンサからの信号は、第１の圧力分配装置と第２の圧力分配装置からの源材料の流れの混合を制御するために使用される。一実施形態では、源材料の少なくとも１つの流れの気体含有量を示す信号は、マスフローセンサおよび容量式流量センサによって得られ（任意選択で、温度センサによって補正される）、質量を体積で割った商が源材料の密度を求めるのに使用される。密度と気体含有量（または気体飽和状態）間の機能的関連性は実験により予め決定してもよい。測定された密度信号を、実験によって得られたデータ（または実験によって得られたデータから得られる数学的関数）と比較してもよく、そのような比較は、種々のコンテナからの源材料流の混合を制御するために使用され、気体で飽和されない（または所定のしきい値未満の気体含有量を維持する）生成（混合）源材料流を得るという目的を有する。別の実施形態では、混合された源材料流において、生成する源材料流の割合を制御するために圧力検出を使用してもよい。本明細書中に開示されるような（またはそうでなければ当業者に公知のような）センサの他の種類および／または組み合わせを源材料流の混合の制御に用いてもよい。
【０１０９】
[00129]本明細書中に記載されるような分配装置では種々のタイプの制御要素を使用してもよい。「制御要素」という用語には、事前定義の、またはユーザー定義の命令セット、プログラマブルロジックコントローラ、信号比較器、制御弁、マスフローコントローラ、圧力調整器、アクチュエータ等を実行するために配置した汎用または専用コンピュータを含んでもよい。
【０１１０】
[00130]第１の圧力分配装置からの所望の量の流体の分配と相関する、または第１の圧力分配装置によって分配される流体の気体飽和への接近と相関する出力信号を発生させるために配置した少なくとも１つの検出素子は、（Ａ）圧力分配装置によって分配される流体の圧力を検出するために配置された圧力変換器、（Ｂ）（ｉ）圧力分配装置の内容積内に収容された流体の重量、または（ｉｉ）圧力分配装置の容器および容器内に収容された流体の重量を検出するために配置されたセンサ（例えば、スケール、ひずみゲージ等）、または（Ｃ）圧力分配装置によって分配される流体の総量または総質量を検出するために配置された（積算流量計のような）流量センサと、を含んでもよい。状態を検出し、出力信号を発生するステップには、検出素子によって発生した信号を、第１の圧力分配装置から分配されるべき流体の量を示す、または第１の圧力分配装置によって分配される流体の予備飽和状態（pre−saturation state）を示す既定値と比較し、出力信号を発生させるステップを含んでもよい。分配システムの各圧力分配装置に少なくとも１つの検出素子を関連させてもよい。
【０１１１】
[00131]前に示したように、第１の圧力分配装置からの所望の量の流体の分配と相関する、または第１の圧力分配装置によって分配される流体の気体飽和への接近と相関する事前定義された状態を検出すると、第１の圧力分配装置からの流体が第２の圧力分配装置からの流体と組み合わされ、組み合わせ流体の流れが所望の使用箇所に供給される。流体が第１の圧力分配装置から完全になくなった後、流体をしばらくの間第２の圧力分配装置のみから同じ所望の使用箇所に分配してもよく、第１の圧力分配装置に流体を補充してもよい（または第１の圧力分配装置を第３の圧力分配装置に交換してもよい）。第２の圧力分配装置からの所望の量の流体の分配と相関する、または第２の圧力分配装置によって分配される流体の気体飽和への接近と相関する事前定義された状態を検出すると、第２の圧力分配装置からの流体を、補充された第３の圧力分配装置または第３の圧力分配装置のような別の圧力分配装置からの流体と組み合わせてもよい。その結果、そのような流体を所望の低い気体飽和レベルで維持する一方、流体を所望の使用箇所に実質的に連続的に供給してもよい。複数の圧力分配コンテナからの流体の流れを組み合わせるために、１つの圧力分配コンテナ（またはその出力）に関連する特定の状態を検出し、新しい圧力分配コンテナから分配を開始する工程は、必要に応じて繰り返してもよい。
【０１１２】
[00132]特定の実施形態では、流体分配システムは、中に流体を含むように配置された第１の折りたたみ可能なライナを備えた第１の圧力分配装置を含み、中に流体を含むように配置された第２の折りたたみ可能なライナを備えた第２の圧力分配装置を含む。他の実施形態では、各圧力分配装置には、加圧気体と分配されるべき流体との直接接触による圧力分配を可能にするためにライナをなくしてもよい。
【０１１３】
[00133]第１の圧力分配装置と第２の圧力分配装置からの流れの組み合わせを開始する
ために圧力検出を使用する一実施形態による流体分配システムが図１３に示される。分配システム６００は、第１の圧力分配装置６０２Ａと、第１の脱ガスおよび／またはフィルタリングリザーバ６４０Ａと、付属のフロー制御構成要素とを備える第１の部分６０１Ａを含み、第２の圧力分配装置６０２Ｂと、第２の脱ガスおよび／またはフィルタリングリザーバ６４０Ｂと、付属のフロー制御構成要素とを備える第２の部分６０１Ｂを含む。各圧力分配装置６０２Ａ、６０２Ｂは、実質的に剛性のあるコンテナ６１０Ａ、６１０Ｂと、折りたたみ可能なライナ６１２Ａ、６１２Ｂとを含み、その間に間隙空間６１１Ａ、６１１Ｂを有する。各圧力分配装置６０２Ａ、６０２Ｂは、（加圧気体源６１６Ａ、６１６Ｂに結合する）気体入口導管６１７Ａ、６１７Ｂと、源材料（例えば、液体）（ライナ６１２Ａ、６１２Ｂ内の浸漬管６１３Ａ、６１３Ｂから液体を受容するために配置された）出口導管６２０Ａ、６２０Ｂと、（ライナ６１２Ａ、６１２Ｂ内からヘッドスペース気体を排出するために配置された）気体排出導管６３０Ａ、６３０Ｂとを備えたキャップ６１５Ａ、６１５Ｂを含む。各源材料（例えば、液体）出口導管６２０Ａ、６２０Ｂは、リザーバ６４０Ａ、６４０Ｂの上流側に配置された、関連する圧力変換器６２２Ａ、６２２Ｂと、制御弁６２４Ａ、６２４Ｂと、逆止弁６２５Ａ、６２５Ｂとを有する。各気体排出導管６３０Ａ、６３０Ｂは、リザーバ６４０Ａ、６４０Ｂの上流側に配置された、（任意選択で、真空源（図示せず）に連結されてもよい）関連する排出口６３１Ａ、６３１Ｂと、制御弁６３４Ａ、６３４Ｂと、逆止弁６３５Ａ、６３５Ｂとを有する。各リザーバ６４０Ａ、６４０Ｂは、源材料出口導管６２０Ａ、６２０Ｂを受容するとともに気体排出導管６３０Ａ、６３０Ｂを受容する上部部分６４２Ａ、６４２Ｂであって、上部部分６４２Ａ、６４２Ｂは、制御弁６４９Ａ、６４９Ｂと、Ｔ字管６５１と、追加の気体逆止弁６５２と、単一の気体ドレン６５３とにつながる下流側気体出口導管６４８Ａ、６４８Ｂを含む。
各リザーバ６４０Ａ、６４０Ｂは、さらに、制御弁６４７Ａ、６４７Ｂと、Ｔ字管６５０と、単一の分配導管６５５とにつながる液体出口６４６Ａ、６４６Ｂを含む下部部分６４１Ａ、６４１Ｂを含む。リザーバ６４０Ａ、６４０Ｂに関連するセンサ６４４Ａ、６４４Ｂ、６４５Ａ、６４５Ｂを制御弁６４７Ａ、６４７Ｂ、６４９Ａ、６４９Ｂとともに使用してリザーバ６４０Ａ、６４０Ｂ内の所望の液位を維持してもよい。各圧力分配装置６０２Ａ、６０２Ｂの下流側の種々の構成要素は、任意選択で、各圧力分配装置６０２Ａ、６０２Ｂから離れて配置してもよいフロー制御モジュール６０８に含めてもよい。分配システム６００の種々の要素（加圧気体源およびフロー制御モジュール６０８を含むが、それに限らない）は、１つ以上の制御部を含んでもよい１つ以上の制御要素６０５に作動的に結合してもよい。
【０１１４】
[00134]分配システム６００の動作時、初めに第１の圧力分配装置６０２Ａのライナ６
１２Ａ内にあるヘッドスペース気体を、気体排出導管６３０Ａを通じて、排出口６３１Ａに、またはフィルタリングおよび／または脱ガスリザーバ６４０Ａを通じて除去してもよい。気体は、また、液体分配時に、気体排出導管６３０Ａを通じてライナ６１２Ａから排出してもよい。第１の圧力分配装置６０２Ａから源材料（例えば、液体）の圧力分配を開始するため、加圧気体が第１の加圧気体源６１６Ａから第１のコンテナ６１０Ａと第１のライナ６１２Ａとの間の間隙空間６１１Ａに供給される。ライナ６１２Ａ内にある源材料は浸漬管６１３Ａ内に押し出され源材料導管６２０Ａに入る。そのような際、第２の圧力分配装置６０２Ｂはアイドル状態だが、分配を開始する準備は完了していてもよい。
【０１１５】
[00135]分配される源材料の圧力は圧力変換器６２２Ａによって検出される。源材料は
（源材料からの気体の除去を促進する）第１のフィルタリング／脱ガスリザーバ６４０Ａに流入する。源材料は出口導管６４６ＡとＴ字管６５０を通って分配導管６５５に流れる。第１の分配装置と第２の分配装置による組み合わせ分配を開始するための所定の圧力設定値は、例えば、圧力に応じた源材料の気体含有量（または気体飽和状態）をモデリングまたは測定することによって、実験的に設けてもよい。複数の圧力分配装置による組み合わせ分配を開始するための設定値は任意の適切なレベルで選択してもよいが、好ましくは、未だ気体で高度に飽和していない源材料に対応するレベルで設定する。そのため、源材料流の混合を、源材料が予備飽和状態にあるときに、飽和した源材料の使用箇所への分配を防止するために開始してもよい。第１の圧力変換器６２２Ａが設定値に等しい圧力を検出すると、変換器６２２Ａは、少なくとも１つの制御要素６０５によって使用されてもよい出力信号を発生し、第２の分配装置６０２Ｂによる源材料（例えば、液体）の分配を開始する。第２の分配装置６０２Ｂの動作は第１の分配装置６０２Ａと実質的に同時に開始される。第２の分配装置６０２Ｂからの源材料の流れは第２のフィルタリング／脱ガスリザーバ６４０Ｂを通って流れ、Ｔ字管６５０において第１の圧力分配装置６０２Ａからの源材料の流れと合流する。それにより組み合わせ流は単一の分配導管６５５を通って所望の使用箇所に流れる。第１の圧力分配装置６０２Ａおよび第２の圧力分配装置６０２Ｂからの源材料の流れを組み合わせることによって、生成流体の気体飽和レベルを許容レベル未満で維持してもよい。また、流体の廃棄の相応の削減によってより多くの割合の流体を分配してもよい。
【０１１６】
[00136]第１の圧力分配装置と第２の圧力分配装置からの流れの組み合わせを開始する
ために重量検出を使用する一実施形態による流体分配システムが図１４に示される。分配システム７００は、第１の圧力分配装置７０２Ａと、第１の脱ガスおよび／またはフィルタリングリザーバ７４０Ａと、付属のフロー制御構成要素とを備えた第１の部分７０１Ａを含むとともに、第２の圧力分配装置７０２Ｂと、第２の脱ガスおよび／またはフィルタリングリザーバ７４０Ｂと、付属のフロー制御構成要素とを備えた第２の部分７０１Ｂを含む。各圧力分配装置７０２Ａ、７０２Ｂは、実質的に剛性のあるコンテナ７１０Ａ、７１０Ｂと、折りたたみ可能なライナ７１２Ａ、７１２Ｂとを含み、その間に間隙空間７１１Ａ、７１１Ｂを有する。各圧力分配装置の重量はスケール７０６Ａ、７０６Ｂで検出される。各圧力分配装置７０２Ａ、７０２Ｂは、（加圧気体源７１６Ａ、７１６Ｂと結合される）気体入口導管７１７Ａ、７１７Ｂと、（ライナ７１２Ａ、７１２Ｂ内の浸漬管７１３Ａ、７１３Ｂから液体を受容するために配置された）源材料（例えば、液体）出口導管７２０Ａ、７２０Ｂと、（ライナ７１２Ａ、７１２Ｂ内からヘッドスペース気体を排出するために配置された）気体排出導管７３０Ａ、７３０Ｂとを備えたキャップ７１５Ａ、７１５Ｂを含む。各源材料（例えば、液体）出口導管７２０Ａ、７２０Ｂは、リザーバ７４０Ａ、７４０Ｂの上流側に配置される関連する制御弁７２４Ａ、７２４Ｂと、逆止弁７２５Ａ、７２５Ｂとを有する。各気体排出導管７３０Ａ、７３０Ｂは、リザーバ７４０Ａ、７４０Ｂの上流側に配置される（任意選択で、真空源（図示せず）に結合してもよい）関連する排出口７３１Ａ、７３１Ｂと、制御弁７３４Ａ、７３４Ｂと、逆止弁７３５Ａ、７３５Ｂとを有する。各リザーバ７４０Ａ、７４０Ｂは、源材料出口導管７２０Ａ、７２０Ｂを受容する、気体排出導管７３０Ａ、７３０Ｂを受容する、および制御弁７４９Ａ、７４９Ｂと、Ｔ字管７５１と、追加の気体逆止弁７５２と、単一の気体ドレン７５３とにつながる下流側気体出口導管７４８Ａ、７４８Ｂを含む、上部部分７４２Ａ、７４２Ｂを含む。各リザーバ７４０Ａ、７４０Ｂは、さらに、制御弁７４７Ａ、７４７Ｂと、Ｔ字管７５０と、単一の分配導管７５５とにつながる液体出口７４６Ａ、７４６Ｂを含む、下部部分７４１Ａ、７４１Ｂを含む。リザーバ７４０Ａ、７４０Ｂに関連するセンサ７４４Ａ、７４４Ｂ、７４５Ａ、７４５Ｂを制御弁７４７Ａ、７４７Ｂ、７４９Ａ、７４９Ｂとともに使用して、リザーバ７４０Ａ、７４０Ｂ内の所望の液位を維持してもよい。各圧力分配装置７０２Ａ、７０２Ｂの下流側の種々の構成要素は、任意選択で、各圧力分配装置７０２Ａ、７０２Ｂから離れて配置してもよいフロー制御モジュール７０８に含めてもよい。
（加圧気体源およびフロー制御モジュール７０８を含むが、それに限らない）分配システム７００の種々の要素を、１つ以上の制御部を含んでもよい１つ以上の制御要素７０５に作動的に結合してもよい。
【０１１７】
[00137]分配システム７００の動作時、初めに第１の圧力分配装置７０２Ａのライナ７
１２Ａ内にあるヘッドスペース気体を気体排出導管７３０Ａを通じて、排出口７３１Ａに、またはフィルタリングおよび／または脱ガスリザーバ７４０Ａを通じて除去してもよい。気体は、また、液体分配時に、気体排出導管７３０Ａを通じてライナ７１２Ａから排出してもよい。第１の圧力分配装置７０２Ａから源材料（例えば、液体）の圧力分配を開始するため、加圧気体が第１の加圧気体源７１６Ａから第１のコンテナ７１０Ａと第１のライナ７１２Ａとの間の間隙空間７１１Ａに供給される。ライナ７１２Ａ内にある源材料は、浸漬管７１３Ａ内を押し出され、源材料導管７２０Ａに入る。そのような際、第２の圧力分配装置７０２Ｂはアイドル状態だが、分配を開始する準備は完了していてもよい。第１の圧力分配装置７０２Ａの重量はスケール７０６Ａによって検出される。源材料は第１のフィルタリング／脱ガスリザーバ７４０Ａに流入するとともに、源材料は、出口導管７４６ＡとＴ字管７５０を通り、分配導管７５５に流れる。源材料が第１の圧力分配装置７０２Ａから分配されるため、そのような装置７０２Ａの重量は減少する。第１の分配装置と第２の分配装置による組み合わせ分配を開始するための所定の重量設定値を、例えば、圧力分配コンテナ内に残っている源材料の重量に応じた気体飽和をモデリングまたは測定することによって実験的に設けてもよい。第１のスケール７０６Ａが設定値に等しい重量を検出すると、スケール７０６Ａは少なくとも１つの制御要素７０５によって使用されてもよい出力信号を発生させ、第２の分配装置７０２Ｂによる源材料（例えば、液体）の分配を開始する。第２の分配装置７０２Ｂの動作は第１の分配装置７０２Ａと実質的に同時に開始され、第２の分配装置７０２Ｂからの源材料の流れは第２のフィルタリング／脱ガスリザーバ７４０Ｂを通って流れ、Ｔ字管７５０において第１の圧力分配装置７０２Ａからの源材料の流れと合流する。それにより組み合わせ流は単一の分配導管７５５を通って所望の使用箇所に流れる。第１の圧力分配装置７０２Ａと第２の圧力分配装置７０２Ｂからの源材料の流れを組み合わせると、生成流体の気体飽和レベルを許容レベル未満で維持することができ、流体の廃棄の相応の削減によってより多くの割合の流体を分配してもよい。
【０１１８】
[00138]第１の圧力分配装置と第２の圧力分配装置からの流れの組み合わせを開始する
ために流れ検出を使用する一実施形態による流体分配システムが図１５に示される。分配システム８００は、第１の圧力分配装置８０２Ａと、第１の脱ガスおよび／またはフィルタリングリザーバ８４０Ａと、付属のフロー制御構成要素とを備えた第１の部分８０１Ａを含むとともに、第２の圧力分配装置８０２Ｂと、第２の脱ガスおよび／またはフィルタリングリザーバ８４０Ｂと、付属のフロー制御構成要素とを備えた第２の部分８０１Ｂを含む。各圧力分配装置８０２Ａ、８０２Ｂは、実質的に剛性のあるコンテナ８１０Ａ、８１０Ｂと、折りたたみ可能なライナ８１２Ａ、８１２Ｂとを含み、その間に間隙空間８１１Ａ、８１１Ｂを有する。各圧力分配装置８０２Ａ、８０２Ｂは、（加圧気体源８１６Ａ、８１６Ｂに結合される）気体入口導管８１７Ａ、８１７Ｂと、（ライナ８１２Ａ、８１２Ｂ内の浸漬管８１３Ａ、８１３Ｂから液体を受容するために配置された）源材料（例えば、液体）出口導管８２０Ａ、８２０Ｂと、（ライナ８１２Ａ、８１２Ｂ内からヘッドスペース気体を排出するために配置された）気体排出導管８３０Ａ、８３０Ｂとを備えたキャップ８１５Ａ、８１５Ｂを含む。各源材料（例えば、液体）出口導管８２０Ａ、８２０Ｂは、リザーバ８４０Ａ、８４０Ｂの上流側に配置された、関連する流量センサ（例えば、総流量センサ（totalizing flow sensor））８２３Ａ、８２３Ｂと、制御弁８２４Ａ、８２４Ｂと、逆止弁８２５Ａ、８２５Ｂとを有する。各気体排出導管８３０Ａ、８３０Ｂは、リザーバ８４０Ａ、８４０Ｂの上流側に配置された、関連する排出口８３１Ａ、８３１Ｂ（任意選択で、真空源（図示せず）に連結してもよい）と、制御弁８３４Ａ、８３４Ｂと、逆止弁８３５Ａ、８３５Ｂとを有する。各リザーバ８４０Ａ、８４０Ｂは、源材料出口導管８２０Ａ、８２０Ｂを受容する、気体排出導管８３０Ａ、８３０Ｂを受容する、および制御弁８４９Ａ、８４９Ｂと、Ｔ字管８５１と、追加の気体逆止弁８５２と、単一の気体ドレン８５３とにつながる下流側気体出口導管８４８Ａ、８４８Ｂを含む上部部分８４２Ａ、８４２Ｂを含む。各リザーバ８４０Ａ、８４０Ｂは、さらに、制御弁８４７Ａ、８４７Ｂと、Ｔ字管８５０と、単一の分配導管８５５とにつながる液体出口８４６Ａ、８４６Ｂを含む下部部分８４１Ａ、８４１Ｂを含む。リザーバ８４０Ａ、８４０Ｂに関連するセンサ８４４Ａ、８４４Ｂ、８４５Ａ、８４５Ｂを制御弁８４７Ａ、８４７Ｂ、８４９Ａ、８４９Ｂとともに使用してリザーバ８４０Ａ、８４０Ｂ内の所望の液位を維持してもよい。各圧力分配装置８０２Ａ、８０２Ｂの下流側の種々の構成要素は、任意選択で、各圧力分配装置８０２Ａ、８０２Ｂから離れて配置してもよいフロー制御モジュール８０８に含めてもよい。分配システム８００の種々の要素（加圧気体源およびフロー制御モジュール８０８を含むが、それに限らない）は１つ以上の制御部を含んでもよい１つ以上の制御要素８０５に作動的に結合してもよい。
【０１１９】
[00139]分配システム８００の動作時、初めに第１の圧力分配装置８０２Ａのライナ８
１２Ａ内にあるヘッドスペース気体を、気体排出導管８３０Ａを通じて、排出口８３１Ａに、またはフィルタリングおよび／または脱ガスリザーバ８４０Ａを通じて除去してもよい。気体は、また、液体分配中に、気体排出導管８３０Ａを通じてライナ８１２Ａから排出してもよい。第１の圧力分配装置８０２Ａからの源材料（例えば、液体）の圧力分配を開始するため、加圧気体が第１の加圧気体源８１６Ａから、第１のコンテナ８１０Ａと第１のライナ８１２Ａとの間の間隙空間８１１Ａに供給される。ライナ８１２Ａ内にある源材料は押し出され、浸漬管８１３Ａを通って源材料導管８２０Ａに入る。そのような際、第２の圧力分配装置８０２Ｂはアイドル状態だが、分配を開始する準備は完了していてもよい。分配される源材料の流量（例えば、総流）は流量センサ８２３Ａによって検出され、源材料は（源材料からの気体の除去を促進する）第１のフィルタリング／脱ガスリザーバ８４０Ａに流入する。源材料は出口導管８４６ＡとＴ字管８５０を通って分配導管８５５に流れる。総流量センサを使用してもよい、または非積算（non-totalizing）流量センサの出力を、例えば、制御要素８０５に組み入れてもよいコンピューティングデバイスによって積算してもよい。流量センサ８２３Ａには、任意選択で、マスフローコントローラを組み入れてもよい。第１の分配装置と第２の分配装置による組み合わせ分配を開始するための所定の総流設定値は、例えば、総流に応じた気体飽和をモデリングまたは測定することによって実験的に設けてもよい。第１の流量センサ８２３Ａが設定値に等しい総流を検出すると、センサ８２３Ａは少なくとも１つの制御要素８０５によって使用されてもよい出力信号を発生させ、第２の分配装置８０２Ｂによる源材料（例えば、液体）の分配を開始する。第２の分配装置８０２Ｂの動作は第１の分配装置８０２Ａと実質的に同時に開始する。第２の分配装置８０２Ｂからの源材料の流れは第２のフィルタリング／脱ガスリザーバ８４０Ｂを通って流れ、Ｔ字管８５０において第１の圧力分配装置８０２Ａからの源材料の流れと合流する。それにより組み合わせ流は単一の分配導管８５５通って所望の使用箇所に流れる。第１の圧力分配装置８０２Ａと第２の圧力分配装置８０２Ｂからの源材料の流れを組み合わせることによって、生成流体の気体飽和レベルを許容レベル未満で維持してもよい。また、流体の廃棄の相応の削減によってより多くの割合の流体を分配してもよい。
【０１２０】
[00140]図１２は、第１の圧力分配装置と第２の圧力分配装置の出力流の混合を含むシミュレーションの比較結果を提供する。実際のシステムでは、源材料の混合を開始した後、両圧力分配装置おいて延長された（例えば、２倍）加圧時間を考慮する必要があろう。モデルシステムでは、６５ｍｌ／分の液体排出速度、３０ｐｓｉｇの駆動圧力、および初めにライナ内に存在する半径３ｃｍの気泡を有する２００リットルのライナ式圧力分配装置を含む。図１２は、（Ａ）ゼロヘッドスペースを有する２００リットルの折りたたみ可能なフィルム式コンテナライナ、（Ｂ）平均的なヘッドスペースを有する２００リットルの折りたたみ可能なフィルム式コンテナライナ、および（Ｃ）約３．７日における遷移まで平均的なヘッドスペースを有する第１の２００リットルの折りたたみ可能なフィルム式コンテナライナからの流体の圧力分配中にひだ部から解放される気体をモデルとしたシミュレーションにおける溶解気体飽和圧力（パスカル）対時間（日）を示す。第１のライナによって分配される流体は第２の２００リットルのライナによってその後分配される流体と混合される。（１０リットルの流体源材料が第１のライナ内に残る場合）約３．７日において示される遷移は第１の圧力分配装置と第２の圧力分配装置による組み合わせ分配の開始を示す。生成組み合わせ流の５０％が各圧力分配装置によって提供される。モデル結果は、組み合わせ流の気体飽和圧力の顕著な低下が遷移において開始することを示し、それによって気体飽和レベルを低下させる発明的なシステムおよび方法の有効性が実証され、より大きな割合の源材料を圧力分配コンテナから分配することが可能となる。
【０１２１】
[00141]本明細書では、本発明の特定の態様、特徴及び例示的実施形態に関して本発明を説明してきたが、本発明の有用性はこれに限定されず、本明細書の開示に基づいて、本発明の当業者に示唆されるように多数の他の変形、修正及び代替実施形態へと拡張し、それを含むことが理解される。１つ以上の実施形態に関連して説明される１つ以上の特徴は、本明細書でそうではないと明示されない限り、任意の一実施形態の１つ以上の特徴と組み合わせて考えられる。同様に、特許請求の範囲に記載の本発明は、このような変形、修正および代替実施形態を全てその精神及び範囲内に含むものとして、広義に想定および解釈されるものとする。
【図１Ａ】
0005891177.tif 000002
【図１Ｂ】
0005891177.tif 000003
【図２】
0005891177.tif 000004
【図３】
0005891177.tif 000005
【図４Ａ】
0005891177.tif 000006
【図４Ｂ】
0005891177.tif 000007
【図５Ａ】
0005891177.tif 000008
【図５Ｂ】
0005891177.tif 000009
【図５Ｃ】
0005891177.tif 000010
【図６Ａ】
0005891177.tif 000011
【図６Ｂ】
0005891177.tif 000012
【図７Ａ】
0005891177.tif 000013
【図７Ｂ】
0005891177.tif 000014
【図８】
0005891177.tif 000015
【図９】
0005891177.tif 000016
【図１０】
0005891177.tif 000017
【図１１】
0005891177.tif 000018
【図１２】
0005891177.tif 000019
【図１３】
0005891177.tif 000020
【図１４】
0005891177.tif 000021
【図１５】
0005891177.tif 000022